(57)【要約】  本願は、無線周波数リンク共有を実施し、無線周波数リンク利用率を向上し、アップリンク送信レートを向上するための通信方法及び機器を提供する。当該方法は、以下の通りである。端末は、第１構成情報及び第２構成情報を第１ネットワーク装置から受信する。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記端末は、前記第１構成情報に基づき第１参照信号を送信し、前記第２構成情報に基づき第２参照信号を送信する。
2021529474.tif 000002
【特許請求の範囲】
【請求項１】
通信方法であって、
端末により、第１ネットワーク装置から、第１構成情報及び第２構成情報を受信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記端末により、前記第１構成情報に基づき第１参照信号を送信し、前記第２構成情報に基づき第２参照信号を送信するステップと、
を含む方法。
【請求項２】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項１に記載の方法。
【請求項３】
前記方法は、
前記端末により、前記第１ネットワーク装置から、第３構成情報を受信するステップであって、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じる、ステップと、
前記端末により、前記第３構成情報に基づき参照信号を送信するステップと、
を更に含む請求項１又は２に記載の方法。
【請求項４】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項１に記載の方法。
【請求項５】
前記方法は、
前記端末により、前記第１ネットワーク装置又は第２ネットワーク装置へ、前記端末のアップリンク通信能力を報告するステップを更に含み、
前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、
請求項１〜４のいずれか一項に記載の方法。
【請求項６】
前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項５に記載の方法。
【請求項７】
前記端末により、前記第１ネットワーク装置又は前記第２ネットワーク装置へ、前記端末のアップリンク通信能力を報告する前記ステップは、
前記端末により、前記第１ネットワーク装置又は前記第２ネットワーク装置へ、第１メッセージを送信するステップであって、前記第１メッセージは第１情報要素ＩＥを含み、前記第１ＩＥは、前記端末の前記アップリンク通信能力を示すために使用される、ステップを含む、請求項５又は６に記載の方法。
【請求項８】
前記端末の前記アップリンク通信能力は、前記端末が前記第１ネットワーク装置へ信号を送信するときに使用される前記アンテナ能力が前記第２値であることを更に含み又は更に示し、
前記端末により、前記第１ネットワーク装置又は前記第２ネットワーク装置へ、前記端末の前記アップリンク通信能力を報告する前記ステップは、
前記端末により、前記第１ネットワーク装置又は前記第２ネットワーク装置へ、第２メッセージを送信するステップであって、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、ステップを含む、請求項５又は６に記載の方法。
【請求項９】
前記方法は、
前記端末により、前記第１ネットワーク装置又は前記第２ネットワーク装置から、指示情報を受信するステップであって、前記指示情報は、前記端末の前記アップリンク通信能力を有効にするよう前記端末に指示するために使用される、ステップ、
を更に含む請求項５〜８のいずれか一項に記載の方法。
【請求項１０】
通信方法であって、
第１ネットワーク装置により、端末へ、第１構成情報及び第２構成情報を送信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記第１ネットワーク装置により、前記端末により送信された第１参照信号及び第２参照信号を受信するステップと、
を含む方法。
【請求項１１】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項１０に記載の方法。
【請求項１２】
前記方法は、
前記第１ネットワーク装置により、前記端末へ、第３構成情報を送信するステップであって、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じる、ステップと、
を更に含む請求項１０又は１１に記載の方法。
【請求項１３】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項１０に記載の方法。
【請求項１４】
前記方法は、
前記第１ネットワーク装置により、前記端末により報告された前記端末のアップリンク通信能力を受信するステップ、を更に含み、
前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、請求項１０〜１３のいずれか一項に記載の方法。
【請求項１５】
前記第１適用シナリオは、前記端末が第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項１４に記載の方法。
【請求項１６】
前記方法は、
前記第１ネットワーク装置により、前記端末へ、指示情報を送信するステップであって、前記指示情報は、前記端末の前記アップリンク通信能力を有効にするよう前記端末に指示するために使用される、請求項１４又は１５に記載の方法。
【請求項１７】
通信方法であって、
端末により、第１ネットワーク装置又は第２ネットワーク装置への接続を確立し、前記端末により、前記第１ネットワーク装置又は前記第２ネットワーク装置に前記端末のアップリンク通信能力を報告するステップであって、前記端末の前記アップリンク通信能力は、
前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、方法。
【請求項１８】
前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項１７に記載の方法。
【請求項１９】
前記端末は、前記第１ネットワーク装置又は前記第２ネットワーク装置へ、前記端末のアップリンク通信能力を、以下の方法：
前記端末が、前記第１ネットワーク装置又は前記第２ネットワーク装置へ、第１メッセージを送信することにより報告し、前記第１メッセージは第１情報要素ＩＥを含み、前記第１ＩＥは、前記端末の前記アップリンク通信能力を示すために使用される、請求項１８に記載の方法。
【請求項２０】
前記端末の前記アップリンク通信能力は、前記端末が前記第１ネットワーク装置へ信号を送信するときに使用される前記アンテナ能力が前記第２値であることを更に含み又は更に示し、
前記端末は、前記第１ネットワーク装置又は前記第２ネットワーク装置へ、第２メッセージを送信し、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項１８に記載の方法。
【請求項２１】
前記端末により、前記第１ネットワーク装置又は前記第２ネットワーク装置から、指示情報を受信するステップであって、前記指示情報は、前記端末の前記アップリンク通信能力を有効にするよう前記端末に指示するために使用される、ステップ、
を更に含む請求項１７〜２０のいずれか一項に記載の方法。
【請求項２２】
前記端末により、前記第１ネットワーク装置から、第１構成情報及び第２構成情報を受信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記端末により、前記第１構成情報に基づき第１参照信号を送信し、前記第２構成情報に基づき第２参照信号を送信するステップと、
を更に含む請求項１７〜２１のいずれか一項に記載の方法。
【請求項２３】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項２２に記載の方法。
【請求項２４】
前記方法は、
前記端末により、前記第１ネットワーク装置から、第３構成情報を受信するステップであって、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じる、ステップと、
前記端末により、前記第３構成情報に基づき参照信号を送信するステップと、
を更に含む請求項２２又は２３に記載の方法。
【請求項２５】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項２２に記載の方法。
【請求項２６】
通信方法であって、
第１適用シナリオで、端末により、第１無線周波数リンクで第１ネットワーク装置と通信し、第２無線周波数リンクで第２ネットワーク装置と通信するステップと、
第２適用シナリオで、前記端末により、前記第１無線周波数リンク及び前記第２無線周波数リンクで前記第１ネットワーク装置と通信するステップと、
を含む方法。
【請求項２７】
前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項２６に記載の方法。
【請求項２８】
前記第１適用シナリオで、前記端末により、前記第１無線周波数リンクで第１周波数ドメインリソース上で第１ネットワーク装置と通信し、前記第２無線周波数リンクで第２周波数ドメインリソース上で前記第２ネットワーク装置と通信するステップと、
前記第２適用シナリオで、前記端末により、前記第１無線周波数リンク及び前記第２無線周波数リンクで前記第１周波数ドメインリソース上で前記第１ネットワーク装置と通信するステップと、
を更に含む請求項２７に記載の方法。
【請求項２９】
前記第１時間ドメインリソースは、サブフレーム、スロット、又はシンボルであり、前記第２時間ドメインリソースは、サブフレーム、スロット、又はシンボルである、請求項２６〜２８のいずれか一項に記載の方法。
【請求項３０】
前記端末により、前記第１ネットワーク装置から、第１構成情報及び第２構成情報を受信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記端末により、前記第１構成情報に基づき第１参照信号を送信し、前記第２構成情報に基づき第２参照信号を送信するステップと、
を更に含む請求項２６〜２９のいずれか一項に記載の方法。
【請求項３１】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項３０に記載の方法。
【請求項３２】
前記端末により、前記第１ネットワーク装置から、第３構成情報を受信するステップであって、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じる、ステップと、
前記端末により、前記第３構成情報に基づき参照信号を送信するステップと、
を更に含む請求項３０又は３１に記載の方法。
【請求項３３】
前記第１構成情報は、前記第１の数のアンテナポートの前記第３参照信号リソースを示すために使用され、前記第２構成情報は、前記第２の数のアンテナポートの前記第４参照信号リソースを示すために使用され、前記第１構成情報は、前記第１の数のアンテナポートのポート番号を示すために更に使用され、前記第２構成情報は、前記第２の数のアンテナポートのポート番号を示すために更に使用される、請求項３０に記載の方法。
【請求項３４】
前記端末により、前記第１ネットワーク装置又は前記第２ネットワーク装置へ、前記端末のアップリンク通信能力を報告するステップであって、前記端末の前記アップリンク通信能力は、前記端末が前記第１ネットワーク装置へ信号を送信するときに使用されるアンテナ能力が前記第１適用シナリオにおいて第１値であること、及び前記端末が前記第１ネットワーク装置へ信号を送信するときに使用される前記アンテナ能力が前記第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、ステップ、
を更に含む請求項２６〜３３のいずれか一項に記載の方法。
【請求項３５】
前記端末は、前記第１ネットワーク装置又は前記第２ネットワーク装置へ、前記端末のアップリンク通信能力を、以下の方法：
前記端末が、前記第１ネットワーク装置又は前記第２ネットワーク装置へ、第１メッセージを送信することにより報告し、前記第１メッセージは第１情報要素ＩＥを含み、前記第１ＩＥは、前記端末の前記アップリンク通信能力を示すために使用される、請求項３４に記載の方法。
【請求項３６】
前記端末の前記アップリンク通信能力は、前記端末が前記第１ネットワーク装置へ信号を送信するときに使用される前記アンテナ能力が前記第２値であることを更に含み又は更に示し、
前記端末は、前記第１ネットワーク装置又は前記第２ネットワーク装置へ、第２メッセージを送信し、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項３４に記載の方法。
【請求項３７】
前記端末により、前記第１ネットワーク装置又は前記第２ネットワーク装置から、指示情報を受信するステップであって、前記指示情報は、前記端末の前記アップリンク通信能力を有効にするよう前記端末に指示するために使用される、ステップ、
を更に含む請求項２６〜３６のいずれか一項に記載の方法。
【請求項３８】
通信方法であって、
端末により、ネットワーク装置から構成情報を受信するステップであって、前記構成情報は、参照信号を前記ネットワーク装置へ送信するために前記端末により使用されるポート番号及び参照信号リソースを示すために使用される、ステップと、
前記端末により、前記ポート番号を用いて前記構成情報に基づき、前記参照信号を前記ネットワーク装置へ送信するステップと、
を含む方法。
【請求項３９】
通信機器であって、受信ユニットと送信ユニットとを含み、
前記受信ユニットは、第１ネットワーク装置から、第１構成情報及び第２構成情報を受信するよう構成され、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用され、
前記送信ユニットは、前記第１構成情報に基づき第１参照信号を送信し、前記第２構成情報に基づき第２参照信号を送信するよう構成される、
通信機器。
【請求項４０】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項３９に記載の通信機器。
【請求項４１】
前記受信ユニットは、前記第１ネットワーク装置から、第３構成情報を受信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じ、
前記端末は、前記第３構成情報に基づき参照信号を送信する、請求項３９又は４０に記載の通信機器。
【請求項４２】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項３９に記載の通信機器。
【請求項４３】
前記送信ユニットは、前記第１ネットワーク装置又は前記第２ネットワーク装置へ、前記端末のアップリンク通信能力を報告するよう更に構成され、前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、請求項３９〜４２のいずれか一項に記載の通信機器。
【請求項４４】
前記第１適用シナリオは、前記端末が前記送信ユニットを通じて前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項４３に記載の通信機器。
【請求項４５】
前記送信ユニットは、前記第１ネットワーク装置又は前記第２ネットワーク装置へ、第１メッセージを送信するよう構成され、前記第１メッセージは第１情報要素ＩＥを含み、前記第１ＩＥは、前記端末の前記アップリンク通信能力を示すために使用される、請求項４３又は４４に記載の通信機器。
【請求項４６】
前記端末の前記アップリンク通信能力は、前記端末が前記第１ネットワーク装置へ信号を送信するときに使用される前記アンテナ能力が前記第２値であることを更に含み又は更に示し、
前記送信ユニットは、前記第１ネットワーク装置又は前記第２ネットワーク装置へ、第２メッセージを送信するよう更に構成され、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項４３又は４４に記載の通信機器。
【請求項４７】
前記受信ユニットは、前記第１ネットワーク装置又は前記第２ネットワーク装置から、指示情報を受信するよう更に構成され、前記指示情報は、前記端末の前記アップリンク通信能力を有効にするよう前記端末に指示するために使用される、請求項４３〜４６のいずれか一項に記載の通信機器。
【請求項４８】
通信機器であって、処理ユニットと送信ユニットとを含み、前記処理ユニットは、第１ネットワーク装置及び第２ネットワーク装置への接続を確立するよう構成され、前記送信ユニットは、前記第１ネットワーク装置又は前記第２ネットワーク装置に前記端末のアップリンク通信能力を報告するよう構成され、
前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、通信機器。
【請求項４９】
前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項４８に記載の通信機器。
【請求項５０】
前記送信ユニットは、前記第１ネットワーク装置又は前記第２ネットワーク装置へ、第１メッセージを送信するよう構成され、前記第１メッセージは第１情報要素ＩＥを含み、前記第１ＩＥは、前記端末の前記アップリンク通信能力を示すために使用される、請求項４８又は４９に記載の通信機器。
【請求項５１】
前記端末の前記アップリンク通信能力は、前記端末が前記第１ネットワーク装置へ信号を送信するときに使用される前記アンテナ能力が前記第２値であることを更に含み又は更に示し、
前記送信ユニットは、前記第１ネットワーク装置又は前記第２ネットワーク装置へ、第２メッセージを送信するよう更に構成され、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項４８又は４９に記載の通信機器。
【請求項５２】
前記機器は、受信ユニットを更に含み、前記受信ユニットは、前記第１ネットワーク装置又は前記第２ネットワーク装置から、指示情報を受信するよう更に構成され、前記指示情報は、前記端末の前記アップリンク通信能力を有効にするよう前記端末に指示するために使用される、請求項４８〜５１のいずれか一項に記載の通信機器。
【請求項５３】
前記受信ユニットは、前記第１ネットワーク装置から、第１構成情報及び第２構成情報を受信するよう更に構成され、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用され、
前記受信ユニットは、前記第１構成情報に基づき第１参照信号を送信し、前記第２構成情報に基づき第２参照信号を送信するよう更に構成される、
請求項４８〜５２のいずれか一項に記載の通信機器。
【請求項５４】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項５３に記載の通信機器。
【請求項５５】
前記受信ユニットは、前記第１ネットワーク装置から、第３構成情報を受信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じ、
前記端末は、前記第３構成情報に基づき参照信号を送信する、請求項５３又は５４に記載の通信機器。
【請求項５６】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項５３に記載の通信機器。
【請求項５７】
通信機器であって、送信ユニットを含み、
前記送信ユニットは、第１適用シナリオで、第１無線周波数リンクで第１ネットワーク装置と通信し、第２無線周波数リンクで第２ネットワーク装置と通信するよう構成され、
前記送信ユニットは、第２適用シナリオで、前記第１無線周波数リンク及び前記第２無線周波数リンクで前記第１ネットワーク装置と通信するよう更に構成される、通信機器。
【請求項５８】
前記第１適用シナリオは、前記送信ユニットが前記第２ネットワーク装置へ信号を送信することであり、前記第２適用シナリオは、前記送信ユニットが前記第２ネットワーク装置へ信号を送信しないことであり、或いは、
前記第１適用シナリオは、前記送信ユニットが前記第２ネットワーク装置へ信号の第１時間ドメインリソースを送信することを許可されることであり、前記第２適用シナリオは、前記送信ユニットが前記第２ネットワーク装置へ信号の第２時間ドメインリソースを送信することを許可されないことである、請求項５７に記載の通信機器。
【請求項５９】
前記第１適用シナリオで、前記送信ユニットは、前記第１無線周波数リンクで第１周波数ドメインリソース上で第１ネットワーク装置と通信し、前記第２無線周波数リンクで第２周波数ドメインリソース上で前記第２ネットワーク装置と通信するよう構成され、
前記第２適用シナリオで、前記送信ユニットは、前記第１無線周波数リンク及び前記第２無線周波数リンクで前記第１周波数ドメインリソース上で前記第１ネットワーク装置と通信するよう構成される、請求項５７又は５８に記載の通信機器。
【請求項６０】
前記第１時間ドメインリソースは、サブフレーム、スロット、又はシンボルであり、前記第２時間ドメインリソースは、サブフレーム、スロット、又はシンボルである、請求項５７〜５９のいずれか一項に記載の通信機器。
【請求項６１】
前記機器は受信ユニットを更に含み、前記受信ユニットは、前記第１ネットワーク装置から、第１構成情報及び第２構成情報を受信するよう構成され、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用され、
前記送信ユニットは、前記第１構成情報に基づき第１参照信号を送信し、前記第２構成情報に基づき第２参照信号を送信するよう更に構成される、
請求項５７〜６０のいずれか一項に記載の通信機器。
【請求項６２】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項６１に記載の通信機器。
【請求項６３】
前記受信ユニットは、前記第１ネットワーク装置から、第３構成情報を受信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記送信ユニットに指示するために使用され、前記第１時間及び前記第２時間は隣接し、時間ドメインで交互に生じ、
前記送信ユニットは、前記第３構成情報に基づき参照信号を送信するよう更に構成される、請求項６１又は６２に記載の通信機器。
【請求項６４】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項６１に記載の通信機器。
【請求項６５】
前記送信ユニットは、前記第１ネットワーク装置又は前記第２ネットワーク装置へ、前記端末のアップリンク通信能力を報告するよう更に構成され、前記端末の前記アップリンク通信能力は、前記端末が前記第１ネットワーク装置へ信号を送信するときに使用されるアンテナ能力が前記第１適用シナリオにおいて第１値であること、及び前記端末が前記第１ネットワーク装置へ信号を送信するときに使用される前記アンテナ能力が前記第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、請求項５７〜６４のいずれか一項に記載の通信機器。
【請求項６６】
前記端末の前記アップリンク通信能力は、前記端末が前記第１ネットワーク装置へ信号を送信するときに使用される前記アンテナ能力が前記第２値であることを更に含み又は更に示し、
前記端末は、前記第１ネットワーク装置又は前記第２ネットワーク装置へ、第２メッセージを送信し、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項６５に記載の通信機器。
【請求項６７】
前記受信ユニットは、前記第１ネットワーク装置又は前記第２ネットワーク装置から、指示情報を受信するよう更に構成され、前記指示情報は、前記端末の前記アップリンク通信能力を有効にするよう前記端末に指示するために使用される、請求項５７〜６６のいずれか一項に記載の通信機器。
【請求項６８】
通信機器であって、前記機器は、送信ユニットと受信ユニットとを含み、
前記送信ユニットは、端末へ、第１構成情報及び第２構成情報を送信するよう構成され、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用され、
前記受信ユニットは、前記端末により送信された第１参照信号及び第２参照信号を受信するよう構成される、
通信機器。
【請求項６９】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項６８に記載の通信機器。
【請求項７０】
前記送信ユニットは、前記端末へ、第３構成情報を送信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じる、請求項６８又は６９に記載の通信機器。
【請求項７１】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項６８に記載の通信機器。
【請求項７２】
前記受信ユニットは、前記端末により報告された前記端末のアップリンク通信能力を受信するよう更に構成され、前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、請求項６８〜７１のいずれか一項に記載の通信機器。
【請求項７３】
前記第１適用シナリオは、前記端末が第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項７２に記載の通信機器。
【請求項７４】
前記送信ユニットは、前記端末へ、指示情報を送信するよう更に構成され、前記指示情報は、前記端末の前記アップリンク通信能力を有効にするよう前記端末に指示するために使用される、請求項７２又は７３に記載の通信機器。
【請求項７５】
通信機器であって、受信ユニットと送信ユニットとを含み、
前記受信ユニットは、ネットワーク装置から構成情報を受信するよう構成され、前記構成情報は、参照信号を前記ネットワーク装置へ送信するために前記端末により使用されるポート番号及び参照信号リソースを示すために使用され、
前記送信ユニットは、前記ポート番号を用いて前記構成情報に基づき、前記参照信号を前記ネットワーク装置へ送信するよう構成される、通信機器。
【請求項７６】
通信機器であって、トランシーバとプロセッサとを含み、前記プロセッサは、メモリに結合され、前記メモリ内のプログラムを呼び出し、前記プログラムを実行して、以下のステップ：
前記トランシーバを通じて、第１ネットワーク装置から、第１構成情報及び第２構成情報を受信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記トランシーバを通じて、前記第１構成情報に基づき第１参照信号を送信し、前記トランシーバを通じて、前記第２構成情報に基づき第２参照信号を送信するステップと、
を実行するよう構成される、通信機器。
【請求項７７】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項７５に記載の通信機器。
【請求項７８】
前記プロセッサは、前記トランシーバを通じて、前記第１ネットワーク装置から、第３構成情報を受信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じ、
前記端末は、前記第３構成情報に基づき参照信号を送信する、請求項７５又は７７に記載の通信機器。
【請求項７９】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項７５に記載の通信機器。
【請求項８０】
前記プロセッサは、前記トランシーバを通じて、前記第１ネットワーク装置又は前記第２ネットワーク装置へ、前記端末のアップリンク通信能力を報告するよう更に構成され、前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示し、
前記端末は、前記端末の前記アップリンク通信能力を前記ネットワーク装置に報告し、前記ネットワーク装置は、前記端末により報告された前記アップリンク通信能力に基づき、前記端末がアンテナ能力値から別のアンテナ能力値への切り替えをサポートすると決定する、請求項７５又は７９に記載の通信機器。
【請求項８１】
前記第１適用シナリオは、前記端末が前記送信ユニットを通じて前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項８０に記載の通信機器。
【請求項８２】
前記プロセッサは、前記第１ネットワーク装置又は前記第２ネットワーク装置へ、第１メッセージを送信するよう更に構成され、前記第１メッセージは第１情報要素ＩＥを含み、前記第１ＩＥは、前記端末の前記アップリンク通信能力を示すために使用される、請求項８０又は８１に記載の通信機器。
【請求項８３】
前記端末の前記アップリンク通信能力は、前記端末が前記第１ネットワーク装置へ信号を送信するときに使用される前記アンテナ能力が前記第２値であることを更に含み又は更に示し、
前記プロセッサは、前記トランシーバを通じて、前記第１ネットワーク装置又は前記第２ネットワーク装置へ、第２メッセージを送信するよう更に構成され、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項８０又は８１に記載の通信機器。
【請求項８４】
前記プロセッサは、前記トランシーバを通じて、前記第１ネットワーク装置又は前記第２ネットワーク装置から、指示情報を受信するよう更に構成され、前記指示情報は、前記端末の前記アップリンク通信能力を有効にするよう前記端末に指示するために使用される、請求項８０〜８３のいずれか一項に記載の通信機器。
【請求項８５】
通信機器であって、プロセッサとトランシーバとを含み、前記プロセッサは、メモリに結合され、前記メモリ内のプログラムを呼び出し、前記プログラムを実行して、以下のステップ：
第１ネットワーク装置及び第２ネットワーク装置への接続を確立するステップを実施するよう構成され、
前記トランシーバは、前記第１ネットワーク装置又は前記第２ネットワーク装置に前記端末のアップリンク通信能力を報告するよう構成され、
前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、通信機器。
【請求項８６】
前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項８５に記載の通信機器。
【請求項８７】
前記トランシーバは、前記第１ネットワーク装置又は前記第２ネットワーク装置へ、第１メッセージを送信するよう構成され、前記第１メッセージは第１情報要素ＩＥを含み、前記第１ＩＥは、前記端末の前記アップリンク通信能力を示すために使用される、請求項８５又は８６に記載の通信機器。
【請求項８８】
前記端末の前記アップリンク通信能力は、前記端末が前記第１ネットワーク装置へ信号を送信するときに使用される前記アンテナ能力が前記第２値であることを更に含み又は更に示し、
前記トランシーバは、前記第１ネットワーク装置又は前記第２ネットワーク装置へ、第２メッセージを送信するよう更に構成され、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項８５又は８６に記載の通信機器。
【請求項８９】
前記機器は、受信ユニットを更に含み、前記トランシーバは、前記第１ネットワーク装置又は前記第２ネットワーク装置から、指示情報を受信するよう更に構成され、前記指示情報は、前記端末の前記アップリンク通信能力を有効にするよう前記端末に指示するために使用される、請求項８５〜８８のいずれか一項に記載の通信機器。
【請求項９０】
前記トランシーバは、前記第１ネットワーク装置から、第１構成情報及び第２構成情報を受信するよう更に構成され、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用され、
前記トランシーバは、前記第１構成情報に基づき第１参照信号を送信し、前記第２構成情報に基づき第２参照信号を送信するよう更に構成される、
請求項８５〜８９のいずれか一項に記載の通信機器。
【請求項９１】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項９０に記載の通信機器。
【請求項９２】
前記トランシーバは、前記第１ネットワーク装置から、第３構成情報を受信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じ、
前記端末は、前記第３構成情報に基づき参照信号を送信する、請求項９０又は９１に記載の通信機器。
【請求項９３】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項９０に記載の通信機器。
【請求項９４】
通信機器であって、プロセッサとトランシーバとを含み、
前記トランシーバは、第１適用シナリオで、第１無線周波数リンクで第１ネットワーク装置と通信し、第２無線周波数リンクで第２ネットワーク装置と通信するよう構成され、
前記送信ユニットは、第２適用シナリオで、前記第１無線周波数リンク及び前記第２無線周波数リンクで前記第１ネットワーク装置と通信するよう更に構成される、通信機器。
【請求項９５】
前記第１適用シナリオは、前記送信ユニットが前記第２ネットワーク装置へ信号を送信することであり、前記第２適用シナリオは、前記トランシーバが前記第２ネットワーク装置へ信号を送信しないことであり、或いは、
前記第１適用シナリオは、前記トランシーバが前記第２ネットワーク装置へ信号の第１時間ドメインリソースを送信することを許可されることであり、前記第２適用シナリオは、前記送信ユニットが前記第２ネットワーク装置へ信号の第２時間ドメインリソースを送信することを許可されないことである、請求項９４に記載の通信機器。
【請求項９６】
前記プロセッサは、
前記第１適用シナリオで、前記トランシーバを通じて、前記第１無線周波数リンクで第１周波数ドメインリソース上で第１ネットワーク装置と通信し、前記トランシーバを通じて、前記第２無線周波数リンクで第２周波数ドメインリソース上で前記第２ネットワーク装置と通信し、
前記第２適用シナリオで、前記トランシーバを通じて、前記第１無線周波数リンク及び前記第２無線周波数リンクで前記第１周波数ドメインリソース上で前記第１ネットワーク装置と通信する、
よう更に構成される、請求項９４又は９５に記載の通信機器。
【請求項９７】
前記第１時間ドメインリソースは、サブフレーム、スロット、又はシンボルであり、前記第２時間ドメインリソースは、サブフレーム、スロット、又はシンボルである、請求項９４〜９６のいずれか一項に記載の通信機器。
【請求項９８】
前記トランシーバは、前記第１ネットワーク装置から、第１構成情報及び第２構成情報を受信するよう更に構成され、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用され、
前記トランシーバは、前記第１構成情報に基づき第１参照信号を送信し、前記第２構成情報に基づき第２参照信号を送信するよう更に構成される、
請求項９４〜９７のいずれか一項に記載の通信機器。
【請求項９９】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項９８に記載の通信機器。
【請求項１００】
前記トランシーバは、前記第１ネットワーク装置から、第３構成情報を受信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記送信ユニットに指示するために使用され、前記第１時間及び前記第２時間は隣接し、時間ドメインで交互に生じ、
前記送信ユニットは、前記第３構成情報に基づき参照信号を送信するよう更に構成される、請求項９８又は９９に記載の通信機器。
【請求項１０１】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項９８に記載の通信機器。
【請求項１０２】
前記トランシーバは、前記第１ネットワーク装置又は前記第２ネットワーク装置へ、前記端末のアップリンク通信能力を報告するよう更に構成され、前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示し、
前記端末は、前記端末の前記アップリンク通信能力を前記ネットワーク装置に報告し、前記ネットワーク装置は、前記端末により報告された前記アップリンク通信能力に基づき、前記端末がアンテナ能力値から別のアンテナ能力値への切り替えをサポートすると決定する、請求項９４〜１０１のいずれか一項に記載の通信機器。
【請求項１０３】
前記端末の前記アップリンク通信能力は、前記端末が前記第１ネットワーク装置へ信号を送信するときに使用される前記アンテナ能力が前記第２値であることを更に含み又は更に示し、
前記端末は、前記第１ネットワーク装置又は前記第２ネットワーク装置へ、第２メッセージを送信し、前記第２メッセージは第２ＩＥ及び第３ＩＥを含み、前記第２ＩＥは、前記端末が前記第１ネットワーク装置へ信号を送信するときに使用される前記アンテナ能力が前記第２値であることを示すために使用され、前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される、請求項１０２に記載の通信機器。
【請求項１０４】
前記トランシーバは、前記第１ネットワーク装置又は前記第２ネットワーク装置から、指示情報を受信するよう更に構成され、前記指示情報は、前記端末の前記アップリンク通信能力を有効にするよう前記端末に指示するために使用される、請求項９４〜１０３のいずれか一項に記載の通信機器。
【請求項１０５】
通信機器であって、プロセッサとトランシーバとを含み、前記プロセッサは、メモリに結合され、前記メモリ内のプログラムを呼び出し、前記プログラムを実行して、以下のステップ：
前記トランシーバを通じて、端末へ、第１構成情報及び第２構成情報を送信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記トランシーバを通じて、前記端末により送信された第１参照信号及び第２参照信号を受信するステップと、
を実行するよう構成される、通信機器。
【請求項１０６】
前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される、
請求項１０５に記載の通信機器。
【請求項１０７】
前記トランシーバは、前記端末へ、第３構成情報を送信するよう更に構成され、前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用され、前記第１時間及び前記第２時間は隣接し、時間ドメインで交互に生じる、請求項１０５又は１０６に記載の通信機器。
【請求項１０８】
前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される、請求項１０５に記載の通信機器。
【請求項１０９】
前記トランシーバは、前記端末により報告された前記端末のアップリンク通信能力を受信するよう更に構成され、前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示し、及び、前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示し、
前記端末は、前記端末の前記アップリンク通信能力を前記ネットワーク装置に報告し、前記ネットワーク装置は、前記端末により報告された前記アップリンク通信能力に基づき、前記端末がアンテナ能力値から別のアンテナ能力値への切り替えをサポートすると決定する、請求項１０５〜１０８のいずれか一項に記載の通信機器。
【請求項１１０】
前記第１適用シナリオは、前記端末が第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである、請求項１０９に記載の通信機器。
【請求項１１１】
第１４の態様の第１６の可能な設計で、前記トランシーバは、前記端末へ、指示情報を送信するよう更に構成され、前記指示情報は、前記端末の前記アップリンク通信能力を有効にするよう前記端末に指示するために使用される、請求項１０９又は１１０に記載の通信機器。
【請求項１１２】
通信機器であって、プロセッサとトランシーバとを含み、前記プロセッサは、メモリに結合され、前記メモリ内のプログラムを呼び出し、前記プログラムを実行して、以下のステップ：
前記トランシーバを通じて、ネットワーク装置から構成情報を受信するステップであって、前記構成情報は、参照信号を前記ネットワーク装置へ送信するために前記端末により使用されるポート番号及び参照信号リソースを示すために使用される、ステップと、
前記トランシーバを通じて、前記ポート番号を用いて前記構成情報に基づき、前記参照信号を前記ネットワーク装置へ送信するステップと、
を実施するよう構成される、通信機器。
【請求項１１３】
通信機器であって、トランシーバとプロセッサとを含み、前記プロセッサは、メモリに結合され、前記メモリ内のプログラムを呼び出し、前記プログラムを実行して、請求項１〜９のいずれか一項に記載の方法を実施するよう構成される、通信機器。
【請求項１１４】
コンピュータ記憶媒体であって、前記コンピュータ可読記憶媒体はコンピュータ可読命令を格納し、コンピュータが前記コンピュータ可読命令がを読み出し実行すると、前記コンピュータは、請求項１〜３８のいずれか一項に記載の方法を実行可能にされる、コンピュータ可読記憶媒体。
【請求項１１５】
コンピュータプログラムプロダクトであって、前記コンピュータプログラムプロダクトをコンピュータが読み出し実行すると、前記コンピュータは、請求項１〜３８のいずれか一項に記載の方法を実行可能にされる、コンピュータプログラムプロダクト。
【請求項１１６】
チップ機器であって、前記チップはメモリに接続され又は前記チップは前記メモリを含み、前記メモリ内に格納されたソフトウェアプログラムを読み出し実行して、請求項１〜３８のいずれか一項に記載の方法を実施するよう構成される、チップ機器。
【請求項１１７】
通信機器であって、トランシーバとプロセッサとを含み、前記プロセッサは、メモリに結合され、前記メモリ内のプログラムを呼び出し、前記プログラムを実行して、請求項１０〜１６のいずれか一項に記載の方法を実施するよう構成される、通信機器。
【請求項１１８】
チップシステムであって、プロセッサを含み、請求項１〜３８のいずれか一項に記載の方法を実施するよう構成されるチップシステム。
【請求項１１９】
プロセッサであって、前記プロセッサは、請求項１〜３８のいずれか一項に記載の方法を実行するよう構成されるプロセッサ。
【発明の詳細な説明】
【技術分野】
【０００１】
本願の実施形態は、通信技術の分野に関し、特に、通信方法及び機器に関する。
【背景技術】
【０００２】
無線通信システムでは、端末のアップリンク通信は、複数の送信リンクをサポートしてよく、端末のダウンリンク通信は、複数の受信リンクをサポートしてよい。送信リンク及び受信リンクの両方は、無線周波数リンクである。図１に示すように、端末がアップリンク信号を送信する必要があるとき、端末は、ベースバンド上でベースバンド信号を生成し、ベースバンド信号が無線周波数送信リンクを通過した後に、無線周波数信号が生成され、無線周波数信号はアンテナを用いて送信される。無線周波数リンクは、無線周波数首席回路、電力増幅器、及びデュプレクサ／フィルタを含む。同様に、端末は、対応する無線周波数受信リンクを介して信号を受信する。
【０００３】
端末は、複数の送信リンク又は複数の受信リンクをサポートしてよい。例えば、端末は、１つの送信リンク及び２つの受信リンクをサポートする。別の例では、端末は、２つの送信リンク及び４つの受信リンクをサポートしてよい。端末が２つの送信リンクを介してネットワーク側とのアップリンク通信を実行するとき、１つの送信リンクの通信レートよりも高い通信レートが提供できる。
【０００４】
現在、端末は、複数のネットワーク装置にアクセスすることがあり、複数のネットワーク装置と通信できる。この場合、端末は、異なる無線周波数リンクを介して異なるネットワーク装置と通信する。しかしながら、任意の無線周波数リンクについて、端末は、無線周波数リンクを介して対応するネットワーク装置と常に通信するのではない。例えば、無線周波数リンクに対応するネットワーク装置が端末をスケジューリングしないとき、又は端末が別のネットワーク装置へ信号を送信するとき、無線周波数リンクはアイドルである。従って、端末が、複数のアクセスネットワーク装置と通信するために複数の無線周波数リンクを提供されるとき、アイドル無線周波数リンクが存在し、リソース浪費が引き起こされる。
【発明の概要】
【０００５】
本願の実施形態は、端末が複数のアクセスネットワーク装置と通信するために複数の無線周波数リンクを提供されるとき、無線周波数リンクがアイドルである及びリソースが浪費されるという問題を解決するために、通信方法及び機器を提供する。
【０００６】
本願の実施形態で提供される特定の技術的ソリューションは以下の通りである。
【０００７】
第１の態様によると、通信方法が提供される。前記方法は、端末により実行されてよい。前記方法は、主に以下のステップを実行することにより実施される。前記端末は、第１構成情報及び第２構成情報を第１ネットワーク装置から受信する。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記端末は、前記第１構成情報に基づき第１参照信号を送信し、前記第２構成情報に基づき第２参照信号を送信する。この方法では、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【０００８】
第１の態様を参照して、第１の態様の第１の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【０００９】
第１の態様又は第１の態様の第１の可能な実装を参照して、第１の態様の第２の可能な実装では、前記端末は、前記第１ネットワーク装置から第３構成情報を受信する。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。この方法では、第２ネットワーク装置は、プロトコル仕様またはネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００１０】
第１の態様を参照して、第１の態様の第３の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。この方法では、前記ネットワーク装置は、複数の参照信号に基づきチャネル状態推定を一緒に実行でき、それにより推定精度を向上する。
【００１１】
第１の態様及び第１の態様の第１〜第３の可能な実装のいずれか１つを参照して、第１の態様の第４の可能な実装では、前記端末は、前記端末のアップリンク通信能力を前記第１ネットワーク装置又は前記第２ネットワーク装置に報告する。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００１２】
第１の態様の第４の可能な設計を参照して、第１の態様の第５の可能な設計では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００１３】
第１の態様の第４又は第５の可能な設計を参照して、第１の態様の第６の可能な設計では、前記端末は、前記端末の前記アップリンク通信能力を前記第１ネットワーク装置又は前記第２ネットワーク装置に以下の方法で報告する。前記端末は、前記第１ネットワーク装置又は前記第２ネットワーク装置へ第１メッセージを送信する。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００１４】
第１の態様の第４又は第５の可能な設計を参照して、第１の態様の第７の可能な設計では、前記端末の前記アップリンク通信能力は、前記端末が前記第１ネットワーク装置へ信号を送信するときに使用される前記アンテナ能力が前記第２値であることを更に含み又は更に示す。この場合、前記端末は、前記第１ネットワーク装置又は前記第２ネットワーク装置へ第２メッセージを送信する。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００１５】
第１の態様の第４〜第７の可能な設計を参照して、第１の態様の第８の可能な設計では、前記端末は、前記第１ネットワーク装置又は前記第２ネットワーク装置から指示情報を受信する。前記指示情報は、前記端末の前記アップリンク通信能力を有効にするよう前記端末に示すために使用される。この方法では、前記端末の前記アップリンク通信能力は、ネットワーク側に従い有効にされることができ、前記ネットワーク装置の能力のバランスをとることができる。
【００１６】
第２の態様によると、通信方法が提供される。前記方法は、端末により実行されてよい。前記方法は、主に以下のステップを実行することにより実施される。前記端末は、第１ネットワーク装置又は第２ネットワーク装置への接続を確立し、前記端末は、前記端末のアップリンク通信能力を前記第１ネットワーク装置又は前記第２ネットワーク装置に報告する。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、第１アンテナポートを通じて前記第１ネットワーク装置へ信号を送信し、第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００１７】
第２の態様を参照して、第２の態様の第１の可能な実装では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００１８】
第２の態様又は第２の態様の第１の可能な実装を参照して、第２の態様の第２の可能な設計では、前記端末は、前記端末の前記アップリンク通信能力を前記第１ネットワーク装置又は前記第２ネットワーク装置に以下の方法で報告する。前記端末は、前記第１ネットワーク装置又は前記第２ネットワーク装置へ第１メッセージを送信する。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００１９】
第２の態様又は第２の態様の第１の可能な実装を参照して、第２の態様の第３の可能な設計では、前記端末の前記アップリンク通信能力は、前記端末が前記第１ネットワーク装置へ信号を送信するときに使用される前記アンテナ能力が前記第２値であることを更に含み又は更に示す。この場合、前記端末は、前記第１ネットワーク装置又は前記第２ネットワーク装置へ第２メッセージを送信する。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００２０】
第２の態様及び第２の態様の第１〜第３の可能な実装のいずれか１つを参照して、第２の態様の第４の可能な実装では、前記端末は、前記第１ネットワーク装置又は前記第２ネットワーク装置から指示情報を受信する。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００２１】
第２の態様及び第２の態様の第１〜第４の可能な実装のいずれか１つを参照して、第２の態様の第５の可能な実装では、前記端末は、前記第１ネットワーク装置から第１構成情報及び第２構成情報を受信する。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記端末は、前記第１構成情報に基づき第１参照信号を送信し、前記第２構成情報に基づき第２参照信号を送信する。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００２２】
第２の態様の第５の可能な実装を参照して、第２の態様の第６の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００２３】
第２の態様の第５の可能な実装又は第２の態様の第６の可能な実装を参照して、第２の態様の第７の可能な実装では、前記端末は、前記第１ネットワーク装置から第３構成情報を受信する。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。この方法では、前記第２ネットワーク装置は、プロトコル仕様又はネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００２４】
第２の態様の第５の可能な実装を参照して、第２の態様の第８の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【００２５】
第３の態様によると、通信方法が提供される。前記方法は、端末により実行されてよい。前記方法は、主に以下のステップを実行することにより実施される。第１適用シナリオで、前記端末は、第１無線周波数リンクを介して第１ネットワーク装置と通信し、第２無線周波数リンクを介して第２ネットワーク装置と通信する。第２適用シナリオで、前記端末は、前記第１無線周波数リンク及び前記第２無線周波数リンクを介して前記第１ネットワーク装置と通信する。これは、無線周波数リンク共有又はアンテナポート共有を実施し、無線周波数リンク利用率又はアンテナポート利用率を向上し、アップリンク送信レートを増大し、及び通信能力を向上できる。
【００２６】
第３の態様を参照して、第３の態様の第１の可能な実装では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００２７】
第３の態様又は第３の態様の第１の可能な実装を参照して、第３の態様の第２の可能な実装では、前記第１適用シナリオで、前記端末は、前記第１無線周波数リンクを介して第１周波数ドメインリソースで前記第１ネットワーク装置と通信し、前記第２無線周波数リンクを介して第２周波数ドメインリソースで前記第２ネットワーク装置と通信する。前記第２適用シナリオで、前記端末は、前記第１無線周波数リンク及び前記第２無線周波数リンクを介して前記第１周波数ドメインリソースで前記第１ネットワーク装置と通信する。
【００２８】
第３の態様及び第３の態様の第１及び第２の可能な実装を参照して、第３の態様の第３の可能な実装では、前記第１時間ドメインリソースは、サブフレーム、スロット、又はシンボルであり、前記第２時間ドメインリソースは、サブフレーム、スロット、又はシンボルである。
【００２９】
第３態様及び第３の態様の第１〜第３の可能な実装のいずれか１つを参照して、第３の態様の第４の可能な実装では、前記端末は、前記第１ネットワーク装置から第１構成情報及び第２構成情報を受信する。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記端末は、前記第１構成情報に基づき第１参照信号を送信し、前記第２構成情報に基づき第２参照信号を送信する。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００３０】
第３の態様の第４の可能な実装を参照して、第３の態様の第５の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００３１】
第３の態様の第４又は第５の可能な実装を参照して、第３の態様の第６の可能な実装では、前記端末は、前記第１ネットワーク装置から第３構成情報を受信する。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。このように、前記第２ネットワーク装置は、プロトコル仕様又はネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００３２】
第３の態様の第４の可能な実装を参照して、第３の態様の第７の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【００３３】
第３の態様及び第３の態様の第１〜第７の可能な実装のいずれか１つを参照して、第３の態様の第８の可能な実装では、前記端末は、前記端末のアップリンク通信能力を前記第１ネットワーク装置又は前記第２ネットワーク装置に報告する。前記端末の前記アップリンク通信能力は、前記端末が前記第１ネットワーク装置へ信号を送信するときに使用されるアンテナ能力が前記第１適用シナリオにおいて第１値であること、及び前記端末が前記第１ネットワーク装置へ信号を送信するときに使用される前記アンテナ能力が前記第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００３４】
第３の態様の第８の可能な実装を参照して、第３の態様の第９の可能な設計では、前記端末は、前記端末の前記アップリンク通信能力を前記第１ネットワーク装置又は前記第２ネットワーク装置に以下の方法で報告する。前記端末は、前記第１ネットワーク装置又は前記第２ネットワーク装置へ第１メッセージを送信する。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００３５】
第３の態様の第８の可能な実装を参照して、第３の態様の第１０の可能な実装では、前記端末の前記アップリンク通信能力は、前記端末が前記第１ネットワーク装置へ信号を送信するときに使用される前記アンテナ能力が前記第２値であることを更に含み又は更に示す。この場合、前記端末は、前記第１ネットワーク装置又は前記第２ネットワーク装置へ第２メッセージを送信する。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００３６】
第３の態様及び第３の態様の第１〜第１０の可能な実装のいずれか１つを参照して、第３の態様の第１１の可能な実装では、前記端末は、前記第１ネットワーク装置又は前記第２ネットワーク装置から指示情報を受信する。前記指示情報は、前記端末の前記アップリンク通信能力を有効にするよう前記端末に示すために使用される。この方法では、前記端末の前記アップリンク通信能力は、ネットワーク側に従い有効にされることができ、前記ネットワーク装置の能力のバランスをとることができる。
【００３７】
第４の態様によると、通信方法が提供される。前記方法は、第１ネットワーク装置として示されるネットワーク装置により実行されてよい。前記方法は、主に以下のステップを実行することにより実施される。前記第１ネットワーク装置は、第１構成情報及び第２構成情報を端末へ送信する。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記第１ネットワーク装置は、前記端末により送信された第１参照信号及び第２参照信号を受信する。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００３８】
第４の態様を参照して、第４の態様の第１の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００３９】
第４の態様又は第４の態様の第１の可能な実装を参照して、第４の態様の第２の可能な実装では、前記方法は以下を更に含む。前記第１ネットワーク装置は、前記端末へ第３構成情報を送信する。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。この方法では、第２ネットワーク装置は、プロトコル仕様またはネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００４０】
第４の態様を参照して、第４の態様の第３の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。
【００４１】
第４の態様及び第４の態様の第１〜第３の可能な実装のいずれか１つを参照して、第４の態様の第４の可能な実装では、前記第１ネットワーク装置は、前記端末により報告された前記端末のアップリンク通信能力を受信する。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００４２】
第４の態様の第４の可能な設計を参照して、第４の態様の第５の可能な設計では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。
【００４３】
第４の態様の第４又は第５の可能な設計を参照して、第４の態様の第６の可能な実装では、前記第１ネットワーク装置は、前記端末へ指示情報を送信する。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００４４】
第５の態様によると、通信方法が提供される。前記方法は、端末により実行されてよい。前記方法は、以下のステップを実行することにより実施されてよい。前記端末は、ネットワーク装置から構成情報を受信する。前記構成情報は、前記ネットワーク装置へ参照信号を送信するために前記端末により使用されるポート番号及び参照信号リソースを示すために使用される。前記端末は、前記ポート番号を用いて前記構成情報に基づき、前記参照信号リソースで、前記参照信号を前記ネットワーク装置へ送信する。信号送信のために使用される構成されたポート番号を用いることにより、前記端末は、特定のアンテナポートを決定でき、前記アンテナポートに対応するチャネル状態を推定できる。
【００４５】
第６の態様によると、通信機器が提供される。前記機器は、端末に適用されてよい。前記機器は、受信ユニットと送信ユニットとを含む。前記受信ユニットは、第１構成情報及び第２構成情報を第１ネットワーク装置から受信するよう構成される。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記送信ユニットは、前記第１構成情報に基づき第１参照信号を送信し、前記第２構成情報に基づき第２参照信号を送信するよう構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００４６】
第６の態様を参照して、第６の態様の第１の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００４７】
第６の態様又は第６の態様の第１の可能な実装を参照して、第６の態様の第２の可能な実装では、前記受信ユニットは、前記第１ネットワーク装置から第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。このように、第２ネットワーク装置は、プロトコル仕様またはネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００４８】
第６の態様を参照して、第６の態様の第３の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【００４９】
第６の態様及び第６の態様の第１〜第３の可能な実装のいずれか１つを参照して、第６の態様の第４の可能な実装では、前記送信ユニットは、前記端末のアップリンク通信能力を前記第１ネットワーク装置又は前記第２ネットワーク装置に報告するよう更に構成される。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００５０】
第６の態様の第４の可能な設計を参照して、第６の態様の第５の可能な設計では、前記第１適用シナリオは、前記端末が前記送信ユニットを通じて前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００５１】
第６の態様の第４又は第５の可能な設計を参照して、第６の態様の第６の可能な設計では、前記送信ユニットは、第１メッセージを前記第１ネットワーク装置又は前記第２ネットワーク装置へ送信するよう構成される。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００５２】
第６の態様の第４又は第５の可能な設計を参照して、第６の態様の第７の可能な設計では、前記端末の前記アップリンク通信能力は、前記端末が前記第１ネットワーク装置へ信号を送信するときに使用される前記アンテナ能力が前記第２値であることを更に含み又は更に示す。この場合、前記送信ユニットは、前記第１ネットワーク装置又は前記第２ネットワーク装置へ第２メッセージを送信するよう更に構成される。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００５３】
第６の態様の第４〜第７の可能な設計を参照して、第６の態様の第８の可能な設計では、前記受信ユニットは、前記第１ネットワーク装置又は前記第２ネットワーク装置から指示情報を受信するよう更に構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００５４】
第７の態様によると、通信機器が提供される。前記機器は端末に適用されてよく、又は前記機器は端末である。前記機器は、処理ユニットと送信ユニットとを含む。前記処理ユニットは、第１ネットワーク装置又は第２ネットワーク装置への接続を確立するよう構成される。前記送信ユニットは、前記端末のアップリンク通信能力を前記第１ネットワーク装置又は前記第２ネットワーク装置に報告するよう構成される。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、第１アンテナポートを通じて前記第１ネットワーク装置へ信号を送信し、第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００５５】
第７の態様を参照して、第７の態様の第１の可能な設計では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００５６】
第７の態様又は第７の態様の第１の可能な実装を参照して、第７の態様の第２の可能な実装では、前記送信ユニットは、第１メッセージを前記第１ネットワーク装置又は前記第２ネットワーク装置へ送信するよう構成される。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００５７】
第７の態様又は第７の態様の第１の可能な実装を参照して、第７の態様の第３の可能な実装では、前記端末の前記アップリンク通信能力は、前記端末が前記第１ネットワーク装置へ信号を送信するときに使用される前記アンテナ能力が前記第２値であることを更に含み又は更に示す。この場合、前記送信ユニットは、前記第１ネットワーク装置又は前記第２ネットワーク装置へ第２メッセージを送信するよう構成される。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００５８】
第７の態様及び第７の態様の第１〜第３の可能な実装のいずれか１つを参照して、第７の態様の第４の可能な実装では、前記機器は受信ユニットを更に含み、前記受信ユニットは、前記第１ネットワーク装置又は前記第２ネットワーク装置から指示情報を受信するよう構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００５９】
第７の態様及び第７の態様の第１〜第４の可能な実装のいずれか１つを参照して、第７の態様の第５の可能な実装では、前記受信ユニットは、前記第１ネットワーク装置から第１構成情報及び第２構成情報を受信するよう更に構成される。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記受信ユニットは、前記第１構成情報に基づき第１参照信号を送信し、前記第２構成情報に基づき第２参照信号を送信するよう更に構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００６０】
第７の態様の第５の可能な実装を参照して、第７の態様の第６の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００６１】
第７の態様の第５の可能な実装又は第７の態様の第６の可能な実装を参照して、第７の態様の第７の可能な実装では、前記受信ユニットは、前記第１ネットワーク装置から第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。このように、前記第２ネットワーク装置は、プロトコル仕様又はネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００６２】
第７の態様の第５の可能な実装を参照して、第７の態様の第８の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【００６３】
第８の態様によると、通信機器が提供される。前記機器は端末に適用されてよく、又は前記機器は端末である。前記機器は送信ユニットを含む。前記送信ユニットは、第１適用シナリオで、第１無線周波数リンクを介して第１ネットワーク装置と通信し、第２無線周波数リンクを介して第２ネットワーク装置と通信するよう構成される。前記送信ユニットは、第２適用シナリオで、前記第１無線周波数リンク及び前記第２無線周波数リンクを介して前記第１ネットワーク装置と通信するよう更に構成される。これは、無線周波数リンク共有又はアンテナポート共有を実施し、無線周波数リンク利用率又はアンテナポート利用率を向上し、アップリンク送信レートを増大し、及び通信能力を向上できる。
【００６４】
第８の態様を参照して、第８の態様の第１の可能な実装では、前記第１適用シナリオは、前記送信ユニットが前記第２ネットワーク装置へ信号を送信することであり、前記第２適用シナリオは、前記送信ユニットが前記第２ネットワーク装置へ信号を送信しないことであり、或いは、
前記第１適用シナリオは、前記送信ユニットが前記第２ネットワーク装置へ信号の第１時間ドメインリソースを送信することを許可されることであり、前記第２適用シナリオは、前記送信ユニットが前記第２ネットワーク装置へ信号の第２時間ドメインリソースを送信することを許可されないことである。前記第１適用シナリオが、前記第２アンテナポートがアイドルである場合であると決定される。
【００６５】
第８の態様又は第８の態様の第１の可能な実装を参照して、第８の態様の第２の可能な実装では、前記第１適用シナリオで、前記送信ユニットは、前記第１無線周波数リンクを介して第１周波数ドメインリソースで前記第１ネットワーク装置と通信し、前記第２無線周波数リンクを介して第２周波数ドメインリソースで前記第２ネットワーク装置と通信するよう構成される。前記第２適用シナリオで、前記送信ユニットは、前記第１無線周波数リンク及び前記第２無線周波数リンクを介して前記第１周波数ドメインリソースで前記第１ネットワーク装置と通信するよう更に構成される。
【００６６】
第８の態様及び第８の態様の第１及び第２の可能な実装を参照して、第８の態様の第３の可能な実装では、前記第１時間ドメインリソースは、サブフレーム、スロット、又はシンボルであり、前記第２時間ドメインリソースは、サブフレーム、スロット、又はシンボルである。
【００６７】
第８の態様及び第８の態様の第１〜第３の可能な実装のいずれか１つを参照して、第８の態様の第４の可能な実装では、前記機器は受信ユニットを更に含み、前記受信ユニットは、前記第１ネットワーク装置から第１構成情報および第２構成情報を受信するよう構成される。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記送信ユニットは、前記第１構成情報に基づき第１参照信号を送信し、前記第２構成情報に基づき第２参照信号を送信するよう更に構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００６８】
第８の態様の第４の可能な実装を参照して、第８の態様の第５の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００６９】
第８の態様の第４又は第５の可能な実装を参照して、第８の態様の第６の可能な実装では、前記受信ユニットは、前記第１ネットワーク装置から第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記送信ユニットに指示するために使用される。前記第１時間及び前記第２時間は隣接し、時間ドメインで交互に生じる。前記送信ユニットは、前記第３構成情報に基づき参照信号を送信するよう更に構成される。このように、前記第２ネットワーク装置は、プロトコル仕様又はネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００７０】
第８の態様の第４の可能な実装を参照して、第８の態様の第７の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【００７１】
第８の態様及び第８の態様の第１〜第７の可能な実装のいずれか１つを参照して、第８の態様の第８の可能な実装では、前記送信ユニットは、前記端末のアップリンク通信能力を前記第１ネットワーク装置又は前記第２ネットワーク装置に報告するよう更に構成される。前記端末の前記アップリンク通信能力は、前記端末が前記第１ネットワーク装置へ信号を送信するときに使用されるアンテナ能力が前記第１適用シナリオにおいて第１値であること、及び前記端末が前記第１ネットワーク装置へ信号を送信するときに使用される前記アンテナ能力が前記第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００７２】
第８の態様の第８の可能な実装を参照して、第８の態様の第９の可能な設計では、前記送信ユニットは、前記端末の前記アップリンク通信能力を前記第１ネットワーク装置又は前記第２ネットワーク装置に以下の方法で報告するよう構成される。前記送信ユニットは、前記第１ネットワーク装置又は前記第２ネットワーク装置へ第１メッセージを送信する。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００７３】
第８の態様の第８の可能な実装を参照して、第８の態様の第１０の可能な実装では、前記端末の前記アップリンク通信能力は、前記端末が前記第１ネットワーク装置へ信号を送信するときに使用される前記アンテナ能力が前記第２値であることを更に含み又は更に示す。この場合、前記端末は、前記第１ネットワーク装置又は前記第２ネットワーク装置へ第２メッセージを送信する。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００７４】
第８の態様及び第８の態様の第１〜第１０の可能な実装のいずれか１つを参照して、第８の態様の第１１の可能な実装では、前記受信ユニットは、前記第１ネットワーク装置又は前記第２ネットワーク装置から指示情報を受信するよう更に構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００７５】
第９の態様によると、通信機器が提供される。前記機器はネットワーク装置に適用されてよく、又は前記機器は、第１ネットワーク装置として示されるネットワーク装置である。前記機器は、送信ユニットと受信ユニットとを含む。前記送信ユニットは、第１構成情報及び第２構成情報を端末へ送信するよう構成される。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記受信ユニットは、前記端末により送信された第１参照信号及び第２参照信号を受信するよう構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００７６】
第９の態様を参照して、第９の態様の第１の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００７７】
第９の態様又は第９の態様の第１の可能な実装を参照して、第９の態様の第２の可能な実装では、前記送信ユニットは、前記端末へ第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。この方法では、第２ネットワーク装置は、プロトコル仕様またはネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００７８】
第９の態様を参照して、第９の態様の第３の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。
【００７９】
第９の態様及び第９の態様の第１〜第３の可能な実装のいずれか１つを参照して、第９の態様の第４の可能な実装では、前記受信ユニットは、前記端末により報告された前記端末のアップリンク通信能力を受信するよう更に構成される。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００８０】
第９の態様の第４の可能な設計を参照して、第９の態様の第５の可能な設計では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。
【００８１】
第９の態様の第４又は第５の可能な設計を参照して、第９の態様の第６の可能な設計では、前記送信ユニットは、前記端末へ指示情報を送信するよう更に構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００８２】
第１０の態様によると、通信機器が提供される。前記機器は端末に適用されてよく、又は前記機器は端末である。前記機器は、受信ユニットと送信ユニットとを含む。前記受信ユニットは、ネットワーク装置から構成情報を受信するよう構成される。前記構成情報は、前記ネットワーク装置へ参照信号を送信するために前記端末により使用されるポート番号及び参照信号リソースを示すために使用される。前記送信ユニットは、前記ポート番号を用いて前記構成情報に基づき、前記参照信号リソースで、前記参照信号を前記ネットワーク装置へ送信するよう構成される。信号送信のために使用される構成されたポート番号を用いることにより、前記端末は、特定のアンテナポートを決定でき、前記アンテナポートに対応するチャネル状態を推定できる。
【００８３】
第１１の態様によると、通信機器が提供される。前記機器は、端末に適用されてよい。前記機器は、トランシーバとプロセッサとを含む。前記プロセッサは、メモリに結合され、前記メモリ内のプログラムを呼び出し、前記プログラムを実行して、以下のステップ：
前記トランシーバを通じて、第１ネットワーク装置から、第１構成情報及び第２構成情報を受信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記トランシーバを通じて、前記第１構成情報に基づき第１参照信号を送信し、前記トランシーバを通じて、前記第２構成情報に基づき第２参照信号を送信するステップと、
を実行するよう構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００８４】
第１１の態様を参照して、第１１の態様の第１の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００８５】
第１１の態様又は第１１の態様の第１の可能な実装を参照して、第１１の態様の第２の可能な実装では、前記プロセッサは、前記トランシーバを通じて、前記第１ネットワーク装置から第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。このように、第２ネットワーク装置は、プロトコル仕様またはネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【００８６】
第１１の態様を参照して、第１１の態様の第３の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【００８７】
第１１の態様及び第１１の態様の第１〜第３の可能な実装のいずれか１つを参照して、第１１の態様の第４の可能な実装では、前記プロセッサは、前記トランシーバを通じて、前記端末のアップリンク通信能力を前記第１ネットワーク装置又は前記第２ネットワーク装置に報告するよう更に構成される。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００８８】
第１１の態様の第４の可能な設計を参照して、第１１の態様の第５の可能な設計では、前記第１適用シナリオは、前記端末が前記送信ユニットを通じて前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００８９】
第１１の態様の第４又は第５の可能な設計を参照して、第１１の態様の第６の可能な設計では、前記プロセッサは、前記トランシーバを通じて、第１メッセージを前記第１ネットワーク装置又は前記第２ネットワーク装置へ送信するよう更に構成される。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００９０】
第１１の態様の第４又は第５の可能な設計を参照して、第１１の態様の第７の可能な設計では、前記端末の前記アップリンク通信能力は、前記端末が前記第１ネットワーク装置へ信号を送信するときに使用される前記アンテナ能力が前記第２値であることを更に含み又は更に示す。この場合、前記プロセッサは、前記トランシーバを通じて、前記第１ネットワーク装置又は前記第２ネットワーク装置へ第２メッセージを送信するよう更に構成される。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００９１】
第１１の態様の第４〜第７の可能な設計を参照して、第１１の態様の第８の可能な設計では、前記プロセッサは、前記トランシーバを通じて、前記第１ネットワーク装置又は前記第２ネットワーク装置から指示情報を受信するよう更に構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００９２】
第１２の態様によると、通信機器が提供される。前記機器は端末に適用されてよく、又は前記機器は端末である。前記機器は、プロセッサとトランシーバとを含む。前記プロセッサは、メモリに結合され、前記メモリ内のプログラムを呼び出し、前記プログラムを実行して、以下のステップ：第１ネットワーク装置又は第２ネットワーク装置への接続を確立するステップ、を実施するよう構成される。前記トランシーバは、前記端末のアップリンク通信能力を前記第１ネットワーク装置又は前記第２ネットワーク装置に報告するよう構成される。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、第１アンテナポートを通じて前記第１ネットワーク装置へ信号を送信し、第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【００９３】
第１２の態様を参照して、第１２の態様の第１の可能な設計では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。前記第１適用シナリオが、前記第２アンテナポートがアイドルである場合であると決定される。
【００９４】
第１２の態様又は第１２の態様の第１の可能な実装を参照して、第１２の態様の第２の可能な実装では、前記トランシーバは、第１メッセージを前記第１ネットワーク装置又は前記第２ネットワーク装置へ送信するよう構成される。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【００９５】
第１２の態様又は第１２の態様の第１の可能な実装を参照して、第１２の態様の第３の可能な実装では、前記端末の前記アップリンク通信能力は、前記端末が前記第１ネットワーク装置へ信号を送信するときに使用される前記アンテナ能力が前記第２値であることを更に含み又は更に示す。この場合、前記トランシーバは、前記第１ネットワーク装置又は前記第２ネットワーク装置へ第２メッセージを送信するよう構成される。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【００９６】
第１２の態様及び第１２の態様の第１〜第３の可能な実装のいずれか１つを参照して、第１２の態様の第４の可能な実装では、前記機器は受信ユニットを更に含み、前記トランシーバは、前記第１ネットワーク装置又は前記第２ネットワーク装置から指示情報を受信するよう構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【００９７】
第１２の態様及び第１２の態様の第１〜第４の可能な実装のいずれか１つを参照して、第１２の態様の第５の可能な実装では、前記トランシーバは、前記第１ネットワーク装置から第１構成情報及び第２構成情報を受信するよう更に構成される。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記トランシーバは、前記第１構成情報に基づき第１参照信号を送信し、前記第２構成情報に基づき第２参照信号を送信するよう更に構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【００９８】
第１２の態様の第５の可能な実装を参照して、第１２の態様の第６の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【００９９】
第１２の態様の第５の可能な実装又は第１２７の態様の第６の可能な実装を参照して、第１２の態様の第７の可能な実装では、前記トランシーバは、前記第１ネットワーク装置から第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。前記端末は、前記第３構成情報に基づき参照信号を送信する。このように、前記第２ネットワーク装置は、プロトコル仕様又はネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【０１００】
第１２の態様の第５の可能な実装を参照して、第１２の態様の第８の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【０１０１】
第１３の態様によると、通信機器が提供される。前記機器は端末に適用されてよく、又は前記機器は端末である。前記機器は、プロセッサとトランシーバとを含む。前記プロセッサは、メモリに結合され、前記メモリ内のプログラムを呼び出し、前記プログラムを実行して、以下のステップ：第１適用シナリオで、前記トランシーバを通じて第１無線周波数リンクを介して第１ネットワーク装置と通信し、前記トランシーバを通じて第２無線周波数リンクを介して第２ネットワーク装置と通信するステップ、を実施するよう構成される。前記送信ユニットは、第２適用シナリオで、前記第１無線周波数リンク及び前記第２無線周波数リンクを介して前記第１ネットワーク装置と通信するよう更に構成される。これは、無線周波数リンク共有又はアンテナポート共有を実施し、無線周波数リンク利用率又はアンテナポート利用率を向上し、アップリンク送信レートを増大し、及び通信能力を向上できる。
【０１０２】
第１２の態様を参照して、第１２の態様の第１の可能な実装では、前記第１適用シナリオは、前記送信ユニットが前記第２ネットワーク装置へ信号を送信することであり、前記第２適用シナリオは、前記トランシーバが前記第２ネットワーク装置へ信号を送信しないことであり、或いは、
前記第１適用シナリオは、前記トランシーバが前記第２ネットワーク装置へ信号の第１時間ドメインリソースを送信することを許可されることであり、前記第２適用シナリオは、前記送信ユニットが前記第２ネットワーク装置へ信号の第２時間ドメインリソースを送信することを許可されないことである。前記第１適用シナリオが、前記第２アンテナポートがアイドルである場合であると決定される。
【０１０３】
第１３の態様又は第１３の態様の第１の可能な実装を参照して、第１３の態様の第２の可能な実装では、前記プロセッサは、
前記第１適用シナリオで、前記トランシーバを通じて、前記第１無線周波数リンクで第１周波数ドメインリソース上で第１ネットワーク装置と通信し、前記トランシーバを通じて、前記第２無線周波数リンクで第２周波数ドメインリソース上で前記第２ネットワーク装置と通信し、
前記第２適用シナリオで、前記トランシーバを通じて、前記第１無線周波数リンク及び前記第２無線周波数リンクで前記第１周波数ドメインリソース上で前記第１ネットワーク装置と通信する、よう更に構成される。
【０１０４】
第１３の態様及び第１３の態様の第１及び第２の可能な実装を参照して、第１３の態様の第３の可能な実装では、前記第１時間ドメインリソースは、サブフレーム、スロット、又はシンボルであり、前記第２時間ドメインリソースは、サブフレーム、スロット、又はシンボルである。
【０１０５】
第１３の態様及び第１３の態様の第１〜第３の可能な実装のいずれか１つを参照して、第１３の態様の第４の可能な実装では、前記トランシーバは、前記第１ネットワーク装置から第１構成情報及び第２構成情報を受信するよう更に構成される。前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。前記トランシーバは、前記第１構成情報に基づき第１参照信号を送信し、前記第２構成情報に基づき第２参照信号を送信するよう更に構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【０１０６】
第１３の態様の第４の可能な実装を参照して、第１３の態様の第５の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【０１０７】
第１３の態様の第４又は第５の可能な実装を参照して、第１３の態様の第６の可能な実装では、前記トランシーバは、前記第１ネットワーク装置から第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記送信ユニットに指示するために使用される。前記第１時間及び前記第２時間は隣接し、時間ドメインで交互に生じる。前記送信ユニットは、前記第３構成情報に基づき参照信号を送信するよう更に構成される。このように、前記第２ネットワーク装置は、プロトコル仕様又はネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【０１０８】
第１３の態様の第４の可能な実装を参照して、第１３の態様の第７の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。このように、前記ネットワーク装置は、複数の参照信号に基づきチャネル状態推定を共同で実行でき、それにより推定精度を向上する。
【０１０９】
第１３の態様及び第１３の態様の第１〜第７の可能な実装のいずれか１つを参照して、第１３の態様の第８の可能な実装では、前記トランシーバは、前記端末のアップリンク通信能力を前記第１ネットワーク装置又は前記第２ネットワーク装置に報告するよう更に構成される。前記端末の前記アップリンク通信能力は、前記端末が前記第１ネットワーク装置へ信号を送信するときに使用されるアンテナ能力が前記第１適用シナリオにおいて第１値であること、及び前記端末が前記第１ネットワーク装置へ信号を送信するときに使用される前記アンテナ能力が前記第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【０１１０】
第１３の態様の第８の可能な実装を参照して、第１３の態様の第９の可能な設計では、前記トランシーバは、前記端末の前記アップリンク通信能力を前記第１ネットワーク装置又は前記第２ネットワーク装置に以下の方法で報告する。前記トランシーバは、前記第１ネットワーク装置又は前記第２ネットワーク装置へ第１メッセージを送信する。前記第１メッセージは第１情報要素ＩＥを含み、前記第１ＩＥは前記端末の前記アップリンク通信能力を示すために使用される。この設計は、前記端末が前記通信能力を報告する特定の実装を提供する。
【０１１１】
第１３の態様の第８の可能な実装を参照して、１３の態様の第１０の可能な実装では、前記端末の前記アップリンク通信能力は、前記端末が前記第１ネットワーク装置へ信号を送信するときに使用される前記アンテナ能力が前記第２値であることを更に含み又は更に示す。この場合、前記端末は、前記第１ネットワーク装置又は前記第２ネットワーク装置へ第２メッセージを送信する。前記第２メッセージは、第２ＩＥ及び第３ＩＥを含む。前記第２ＩＥは、前記端末が前記第１ネットワーク装置へ信号を送信するときに使用される前記アンテナ能力が前記第２値であることを示すために使用される。前記第３ＩＥは、前記端末が前記第１ネットワーク装置へ信号を送信するときに使用される前記アンテナ能力が前記第１適用シナリオにおいて前記第１値であること、及び前記端末が前記第１ネットワーク装置へ信号を送信するときに使用される前記アンテナ能力が前記第２適用シナリオにおいて前記第２値であることを示すために使用される。この設計は、前記端末が前記通信能力を報告する特定の実装を提供する。
【０１１２】
第１３の態様及び第１３の態様の第１〜第１０の可能な実装のいずれか１つを参照して、第１３の態様の第１１の可能な実装では、前記トランシーバは、前記第１ネットワーク装置又は前記第２ネットワーク装置から指示情報を受信するよう更に構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【０１１３】
第１４の態様によると、通信機器が提供される。前記機器はネットワーク装置に適用されてよく、又は前記機器は、第１ネットワーク装置として示されるネットワーク装置である。前記機器は、プロセッサとトランシーバとを含む。前記プロセッサは、メモリに結合し、前記メモリ内のプログラムを呼び出し、前記プログラムを実行して、以下のステップ：
前記トランシーバを通じて、端末へ、第１構成情報及び第２構成情報を送信するステップであって、前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される、ステップと、
前記トランシーバを通じて、前記端末により送信された第１参照信号及び第２参照信号を受信するステップと、
を実行するよう構成される。このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。代替として、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【０１１４】
第１４の態様を参照して、第１４の態様の第１の可能な実装では、前記第１構成情報の中の情報要素ＩＥが、前記第１参照信号リソースを示すために使用されるか、又は前記第１構成情報の中のリソースタイプ内のＩＥが、前記第１参照信号リソースを示すために使用され、
前記第２構成情報の中のＩＥが、前記第２参照信号リソースを示すために使用されるか、又は前記第２構成情報の中のリソースタイプ内のＩＥが、前記第２参照信号リソースを示すために使用される。この設計は、参照信号リソースを示す２つの可能な実装を提供する。
【０１１５】
第１４の態様又は第１４の態様の第１の可能な実装を参照して、第１４の態様の第２の可能な実装では、前記トランシーバは、前記端末へ第３構成情報を受信するよう更に構成される。前記第３構成情報は、第１時間内に前記第１アンテナポート及び前記第２アンテナポートの両方を通じて前記第１ネットワーク装置へ参照信号を送信するよう、及び第２時間内に前記第１アンテナポートだけを通じて前記第１ネットワーク装置へ参照信号を送信するよう前記端末に指示するために使用されるか、又は前記第３構成情報は、前記第１時間内に前記第２の数のアンテナポートを通じて前記第１ネットワーク装置へ参照信号を送信するよう、及び前記第２時間内に前記第１の数のアンテナポートを通じて前記第１ネットワーク装置へ参照信号を送信するよう前記端末に指示するために使用される。前記第１時間及び前記第２時間は隣接し、時間ドメインで交互に生じる。この方法では、第２ネットワーク装置は、プロトコル仕様またはネットワーク側と端末側との間の交渉を通じて、前記第２時間内に前記端末をスケジューリングでき、それにより、前記第１ネットワーク装置及び前記第２ネットワーク装置が前記端末をスケジューリングするときに引き起こされる衝突を回避する。
【０１１６】
第１４の態様を参照して、第１４の態様の第３の可能な実装では、前記第１構成情報が、前記第１の数のアンテナポートの前記第３参照信号リソースを示すために使用され、前記第２構成情報が、前記第２の数のアンテナポートの前記第４参照信号リソースを示すために使用される場合、前記第１構成情報は、前記第１の数のアンテナポートのポート番号を示すために更に使用され、前記第２構成情報は、前記第２の数のアンテナポートのポート番号を示すために更に使用される。
【０１１７】
第１４の態様及び第１４の態様の第１〜第３の可能な実装のいずれか１つを参照して、第１４の態様の第４の可能な実装では、前記トランシーバは、前記端末により報告された前記端末のアップリンク通信能力を受信するよう更に構成される。前記端末の前記アップリンク通信能力は、前記端末が前記第１ネットワーク装置へ信号を送信するときに使用されるアンテナ能力が第１適用シナリオにおいて第１値であること、及び前記端末が前記第１ネットワーク装置へ信号を送信するときに使用される前記アンテナ能力が第２適用シナリオにおいて第２値であることを含み又は示す。前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す。前記端末は、前記端末の前記アップリンク通信能力を前記ネットワーク装置に報告し、前記ネットワーク装置は、前記端末により報告された前記アップリンク通信能力を用いて、前記端末がアンテナ能力値から別のアンテナ能力値への切り替えをサポートすることを決定する。例えば、前記端末が、前記第１アンテナポートを通じて前記第１ネットワーク装置へ信号を送信し、前記第２アンテナポートを通じて前記第２ネットワーク装置へ信号を送信するとき、前記端末が１つのポートから２つのポートへのアンテナ能力の切り替えをサポートする場合、前記第２アンテナポートがアイドルのとき、前記端末は、前記第２アンテナポート及び前記第１アンテナポートの両方を通じて前記第１ネットワーク装置へ信号を都合良く送信し得る。これは、無線周波数リンク共有又はアンテナポート共有を実施し、無線周波数リンク利用率又はアンテナポート利用率を向上し、アップリンク送信レートを増大し、及び通信能力を向上できる。
【０１１８】
第１４の態様の第４の可能な設計を参照して、第１４の態様の第５の可能な設計では、前記第１適用シナリオは、前記端末が前記第２ネットワーク装置へ信号を送信することであり、前記第２適用シナリオは、前記端末が前記第２ネットワーク装置へ信号を送信しないことであり、或いは、
前記第１適用シナリオは、前記端末が前記第２ネットワーク装置へ信号の第１時間ドメインリソースを送信することを許可されることであり、前記第２適用シナリオは、前記端末が前記第２ネットワーク装置へ信号の第２時間ドメインリソースを送信することを許可されないことである。
【０１１９】
第１４の態様の第４又は第５の可能な設計を参照して、第１４の態様の第６の可能な設計では、前記トランシーバは、前記端末へ指示情報を送信するよう更に構成される。前記指示情報は、前記端末の前記アップリンク通信能力を有効にするよう前記端末に示すために使用される。このように、前記端末の前記アップリンク通信能力は、ネットワーク側に従い有効にされることができ、前記ネットワーク装置の能力のバランスをとることができる。
【０１２０】
第１５の態様によると、通信機器が提供される。前記機器は端末に適用されてよく、又は前記機器は端末である。前記機器は、プロセッサとトランシーバとを含む。前記プロセッサは、メモリに結合し、前記メモリ内のプログラムを呼び出し、前記プログラムを実行して、以下のステップ：
前記トランシーバを通じて、ネットワーク装置から構成情報を受信するステップであって、前記構成情報は、参照信号を前記ネットワーク装置へ送信するために前記端末により使用されるポート番号及び参照信号リソースを示すために使用される、ステップと、
前記トランシーバを通じて、前記ポート番号を用いて前記構成情報に基づき、前記参照信号を前記ネットワーク装置へ送信するステップと、
を実施するよう構成される。信号送信のために使用される構成されたポート番号を用いることにより、前記端末は、特定のアンテナポートを決定でき、前記アンテナポートに対応するチャネル状態を推定できる。
【０１２１】
第１６の態様によると、チップが提供される。前記チップはメモリに接続され、又は前記チップは前記メモリを含み、前記メモリ内に格納されたソフトウェアプログラムを読み出し実行して、第１の態様及び第１の態様の任意の可能な実装に記載の方法、第２の態様及び第２の態様の任意の可能な実装に記載の方法、第３の態様及び第３の態様の任意の可能な実装に記載の方法、第５の態様及び第５の態様の任意の可能な実装に記載の方法を実施するよう構成される。
【０１２２】
第１７の態様によると、チップが提供される。前記チップはメモリに接続され又は前記チップは前記メモリを含み、前記メモリ内に格納されたソフトウェアプログラムを読み出し実行して、第４の態様及び第４の態様の任意の可能な実装に記載の方法を実施するよう構成される。
【０１２３】
第１８の態様によると、通信システムが提供される。前記通信システムは、端末と、第１ネットワーク装置と、第２ネットワーク装置と、を含む。前記端末は、前述の態様のいずれか１つ及び前述の態様のいずれか１つに任意の可能な実装に記載の方法を実行するよう構成される。
【０１２４】
第１９の態様によると、コンピュータ記憶媒体が提供される。前記コンピュータ記憶媒体は、コンピュータプログラムを格納し、前記コンピュータプログラムは、前述の態様のいずれか１つ及び前述の態様のいずれか１つの任意の可能な実装に記載の方法を実行するために使用される命令を含む。
【０１２５】
第２０の態様によると、コンピュータプログラムプロダクトが提供される。コンピュータが前記コンピュータプログラムプロダクトを読み出し実行すると、前記コンピュータは、前述の態様のいずれか１つ及び前述の態様のいずれか１つの任意の可能な実装に記載の方法を実行するよう構成される。
【０１２６】
第２１の態様によると、本願の一実施形態は、チップシステムを提供する。前記チップシステムは、プロセッサを含み、メモリを更に含んでよく、前述の態様のいずれか１つ及び前述の態様のいずれか１つの任意の可能な実装に記載の方法を実施する。前記チップシステムは、チップを含んでよく、又はチップ及び別の個別素子を含んでよい。
【０１２７】
第２２の態様によると、本願の一実施形態は、プロセッサを提供する。前記プロセッサは、前述の態様のいずれか１つ及び前述の態様のいずれか１つの任意の可能な実装に記載の方法を実行するよう構成される少なくとも１つの回路を含む。
【図面の簡単な説明】
【０１２８】
【図１】本願の一実施形態による無線周波数リンクの概略構造図である。
【０１２９】
【図２】本願の一実施形態による通信システムのアーキテクチャの概略図である。
【０１３０】
【図３Ａ】本願の一実施形態によるデュアルコネクティビティ方式の概略図１である。
【０１３１】
【図３Ｂ】本願の一実施形態によるデュアルコネクティビティ方式の概略図２である。
【０１３２】
【図３Ｃ】本願の一実施形態によるデュアルコネクティビティ方式の概略図３である。
【０１３３】
【図３Ｄ】本願の一実施形態によるデュアルコネクティビティ方式の概略図４である。
【０１３４】
【図４】本願の一実施形態による通信方法１の概略フローチャートである。
【０１３５】
【図５】本願の一実施形態による通信方法２の概略フローチャートである。
【０１３６】
【図６】本願の一実施形態による通信方法３の概略フローチャートである。
【０１３７】
【図７】本願の一実施形態による信号送信モードの概略図である。
【０１３８】
【図８】本願の一実施形態による通信方法４の概略フローチャートである。
【０１３９】
【図９】本願の一実施形態による通信機器の概略構造図１である。
【０１４０】
【図１０】本願の一実施形態による通信機器の概略構造図２である。
【０１４１】
【図１１】本願の一実施形態による通信機器の概略構造図３である。
【発明を実施するための形態】
【０１４２】
本願の実施形態は、無線周波数リンク共有を実施し、無線周波数リンク利用率を向上し、アップリンク送信レートを向上するための通信方法及び機器を提供する。当該方法及び機器は、同じ発明概念又は類似する発明概念に基づく。方法の問題解決原理は機器のものと同様であるので、機器及び方法の実装について、相互参照が行われてよく、詳細は繰り返し記載されない。本願の実施形態の説明において、用語「及び／又は」は、関連付けられたオブジェクトの間の関連付け関係を記述し、３つの関係が存在し得ることを表す。例えば、Ａ及び／又はＢは、以下の３つの場合：Ａのみが存在する、Ａ及びＢの両方が存在する、並びにＢのみが存在する、を表してよい。文字「／」は、通常、関連付けられたオブジェクトの間の「又は」の関係を示す。本願では、「少なくとも１つ」は１つ以上を意味し、「複数の」は２つ以上を意味する。更に、理解されるべきことに、本願の説明では、「第１」及び「第２」のような用語は、単に説明を容易にするために区別目的で使用され、相対的な重要性の指示又は示唆又は順序の指示又は示唆として理解されるべきではない。更に、「少なくとも１種類」は１つ以上の種類を意味し、「少なくとも１つ」は１つ以上を意味し、「複数の」は２つ以上を意味する。
【０１４３】
本願の実施形態で提供される通信方法は、第４世代（４th  generation,  ４G）通信システム、第５世代（５th  generation,  ５G）通信システム、又は種々の将来の通信システムに適用されてよい。方法は、デュアルコネクティビティ（dual  connectivity,  DC）シナリオに適用されてよく、キャリアアグリゲーション（carrier  aggregation,  CA）シナリオにも適用されてよい。
【０１４４】
以下は、添付の図面を参照して、本願の実施形態を詳細に説明する。
【０１４５】
図２は、本願の実施形態で提供される通信方法に適用可能な通信システムの可能なアーキテクチャを示す。図２に示されるように、通信システム２００は、ネットワーク装置２０１及び１つ以上の端末２０２を含む。通信システム２００がコアネットワークを含むとき、ネットワーク装置２０１はコアネットワークに更に接続されてよい。ネットワーク装置２０１は、コアネットワークを通じてＩＰネットワーク２０３と通信してよい。例えば、ＩＰネットワーク２０２は、インターネット（internet）、私設ＩＰ網、又は別のデータネットワークであってよい。ネットワーク装置２０１は、カバレッジエリア内で端末２０１にサービスする。例えば、図２を参照すると、ネットワーク装置２０１は、ネットワーク装置２０１のカバレッジエリア内で、１つ以上の端末２０２のために無線アクセスを提供する。通信システム２００は、複数のネットワーク装置を含んでよく、例えばネットワーク装置２０１’を更に含んでよい。ネットワーク装置のカバレッジエリア同士の間に重なり合う領域が存在してよい。例えば、ネットワーク装置２０１及びネットワーク装置２０１’のカバレッジエリアの間に重なり合う領域が存在する。ネットワーク装置は、更に互いに通信してよい。例えば、ネットワーク装置２０１はネットワーク装置２０１’と通信してよい。
【０１４６】
ネットワーク装置２０１は、無線アクセスネットワーク（radio  access  network,  RAN）内のノードであり、基地局とも呼ばれてよく、又はＲＡＮノード（又は装置）とも呼ばれてよい。現在、例えば、ネットワーク装置２０１は、ｇＮＢ／ＮＲ−ＮＢ、送受信点（transmission  reception  point,  TRP）、進化型ＮｏｄｅＢ（evolved  NodeB,  eNB）、無線ネットワーク制御部（radio  network  controller,  RNC）、ＮｏｄｅＢ（NodeB,  NB）、基地局制御部（base  station  controller,  BSC）、基地トランシーバ局（base  transceiver  station,  BTS）、ホームｅＮｏｄｅＢ（例えば、home  evolved  NodeB又はhome  NodeB,  HNB）、ベースバンドユニット（base  band  unit,  BBU）、無線フィデリティ（wireless  fidelity,  Wi−Fi）アクセスポイント（access  point,  AP）、又は５Ｇ通信システム若しくは将来の可能な通信システム内のネットワーク側装置、である。
【０１４７】
端末２０２は、ユーザ機器（user  equipment,  UE）、移動局（mobile  station,  MS）、移動端末（mobile  terminal,  MT）、等とも呼ばれる。端末２０２は、ユーザに音声又はデータ接続を提供する装置であり、モノのインターネット装置であってよい。例えば、端末２０２は、無線接続機能を有するハンドヘルド装置又は車載装置を含む。現在、端末２０２は、携帯電話機（mobile  phone）、タブレット、ノートブックコンピュータ、ラップトップコンピュータ、モバイルインターネット装置（mobile  internet  device,  MID）、（スマート腕時計、スマートバンド、又は歩数計のような）ウェアラブル装置、（自動車、自転車、電気自動車、航空機、船舶、列車、又は高速列車のような）車載装置、仮想現実（virtual  reality,  VR）装置、拡張現実（augmented  reality,  AR）装置、産業制御（industrial  control）における無線端末、（冷蔵庫、テレビ、エアコン、又は電気メータのような）スマート家庭用装置、インテリジェントロボット、ワークショップ装置、自動走行（self  driving）における無線端末、遠隔手術（remote  medical  surgery）における無線端末、スマードグリッド（smart  grid）における無線端末、輸送安全（transportation  safety）における無線端末、スマートシティ（smart  city）における無線端末、スマートホーム（smart  home）における無線端末、（インテリジェントロボット、ホットバルーン、ドローン、又は航空機のような）飛行装置、等であってよい。
【０１４８】
理解を容易にするために、本願の実施形態で使用される幾つかの概念及び用語が先ず説明される。
【０１４９】
（１）無線周波数リンク：アプリンク方向の無線周波数リンクは、無線周波数送信リンクと呼ばれてよく、ダウンリンク方向の無線周波数リンクは、無線周波数受信リンクと呼ばれてよい。図１に示すように、ベースバンド上で端末により生成されたベースバンド信号が無線周波数送信リンクを通過した後に、無線周波数信号が生成され、無線周波数信号はアンテナを用いて送信される。同様に、端末によりアンテナから受信される信号は、無線周波数受信リンクを介して受信され、ベースバンドで処理される。無線周波数リンクは、無線周波数首席回路、電力増幅器、及びデュプレクサ／フィルタを含む。端末は、複数のネットワーク装置にアクセスすることがあり、端末は、複数の無線周波数リンクを介して複数のネットワーク装置と通信する。１つの無線周波数リンクは１つのネットワーク装置に対応してよい。例えば、端末は、２又は４個のネットワーク装置にアクセスしてよい。具体的に、端末は、ＤＣを通じて複数のネットワーク装置にアクセスしてよく、又はＣＡを通じて複数のネットワーク装置にアクセスしてよい。無線周波数リンクは、無線周波数チップに統合されてよく、又はベースバンド処理回路と同じチップに統合されてよい。
【０１５０】
（２）ＤＣ：ＤＣは、無線リソース制御（radio  resource  control,  RRC）接続モード（RRC_CONNECTED  mode）における端末のモードである。ネットワーク装置は、１つのマスタセルグループ（master  cell  group,  MCG）及び１つのセカンダリセルグループ（secondary  cell  group,  SCG）を端末のために構成する。ネットワーク装置がＤＣをサポートする場合、ＲＲＣ＿ＣＯＮＮＥＣＴＥＤモードの端末は、２つの異なるネットワーク装置により提供される無線リソースを使用するよう構成されてよい。例えば、図３Ａに示すように、ロングタームエボリューション（long  term  evolution,  LTE）では、端末は、２つのｅＮＢにより提供される無線リソースを使用するよう構成される。２つのｅＮＢは、Ｘ２インタフェースを通じて接続される。一方のｅＮＢはマスタｅＮｏｄｅＢ（Master  eNB,  MeNB）としてサービスし、他方のｅＮＢはセカンダリｅＮｏｄｅＢ（Secondary  eNB,  SeNB）としてサービスする。ＤＣでは、１つの端末が１つのＭｅｎ及び１つのＳｅＮＢに接続される。図３Ｂに示すように、新無線（new  radio,  NR）では、ＬＴＥ−ＮＲデュアルコネクティビティ方式が使用されてよく、端末は、ＬＴＥにおけるｅＮＢ及びＮＲにおけるｇＮＢにより提供される無線リソースを使用するよう構成される。任意で、ｅＮＢはマスタｅＮｏｄｅＢとしてサービスし、ｇＮＢはセカンダリｅＮｏｄｅＢとしてサービスする。図３Ｃに示すように、勿論、ＮＲ−ＬＴＥデュアルコネクティビティ方式が代替として使用されてよい。ｇＮＢはマスタｅＮｏｄｅＢとしてサービスし、ｅＮＢはセカンダリｅＮｏｄｅＢとしてサービスする。図３Ｄに示すように、NR−ＮＲデュアルコネクティビティ方式が代替として使用されてよく、端末は、２つのｅＮＢにより提供される無線リソースを使用するよう構成される。一方のｅＮＢは１つのマスタｅＮｏｄｅＢとして従いし、他方のｇＮＢはセカンダリｅＮｏｄｅＢとしてサービスする。
【０１５１】
（３）アンテナポート：ネットワーク側で、無線周波数リンク及びアンテナは、アンテナポートの概念として抽象化されてよい。端末がＮ個の無線周波数リンクを有するとき、端末は、最大Ｎ個のアンテナポートを通じて、ネットワーク装置と同時に通信できる。例えば、Ｎが２であり、端末が２個の無線周波数リンクを有するとき、端末は、最大２個のアンテナポートを通じて、ネットワーク装置と同時に通信できる。実際の適用の間、各無線周波数リンクは１つのアンテナポートに対応する。端末がネットワーク装置と１つのアンテナポートを通じて通信する場合、端末は、２つの無線周波数リンクのいずれかを、アンテナポートに対応させてよく、又は２つの無線周波数リンクｗ同時に使用することによりシミュレーションを通じて１つのアンテナポートを取得してよい。これは、端末側の特定の実装に依存し、ネットワーク装置に対して透過的である。ネットワーク装置は、端末がアップリンク信号を送信する特定のアンテナポートをスケジューリングする必要があるだけである。
【０１５２】
（４）本願で、「アンテナ能力が〜を含む」は、「アンテナ能力が〜を示す」により置き換えられてよく、２つの表現の意味は等価である。同様に、「アップリンク通信能力は〜をふ含む」は、「アップリンク通信能力は〜を示す」により置き換えられてよく、２つの表現の意味は等価である。
【０１５３】
前述の説明及び図２に示す通信システムのアーキテクチャに基づき、図４に示すように、以下は、本願の一実施形態による通信方法１を詳細に説明する。
【０１５４】
ステップ４０１。端末は、第１ネットワーク装置又は第２ネットワーク装置への接続を確立する。
【０１５５】
ここで留意すべきことに、第１ネットワーク装置及び第２ネットワーク装置は、異なる通信規格のシステム内のネットワーク装置であってよい。例えば、端末は、ＤＣを通じて第１ネットワーク装置及び第２ネットワーク装置の両方への接続を確立する。代替として、第１ネットワーク装置及び第２ネットワーク装置は、同じ通信規格のシステム内のネットワーク装置である。例えば、端末は、ＣＡを通じて第１ネットワーク装置及び第２ネットワーク装置にアクセスする。
【０１５６】
本ステップで、端末が第１ネットワーク装置への接続を確立することは、端末が第１ネットワーク装置へのＲＲＣ接続を確立することを意味する。この場合、第１ネットワーク装置はマスタ基地局であり、第２ネットワーク装置はセカンダリ基地局であると考えられてよい。端末が第２ネットワーク装置へ信号を送信する必要があるとき、端末は、第１ネットワーク装置へ該信号を送信してよく、第１ネットワーク装置は、基地局間のＸ２インタフェースを通じて、該信号を第２ネットワーク装置へ送信する。信号は、例えば、ＲＲＣシグナリングであってよい。
【０１５７】
端末が第２ネットワーク装置への接続を確立することは、端末が第２ネットワーク装置へのＲＲＣ接続を確立することを意味する。この場合、第２ネットワーク装置はマスタ基地局であり、第１ネットワーク装置はセカンダリ基地局であると考えられてよい。端末が第１ネットワーク装置へ信号を送信する必要があるとき、端末は、第２ネットワーク装置へ該信号を送信してよく、第２ネットワーク装置は、基地局間のＸ２インタフェースを通じて、該信号を第１ネットワーク装置へ送信する。
【０１５８】
ステップ４０２。端末は、端末のアップリンク通信能力を第１ネットワーク装置又は第２ネットワーク装置に報告し、第１ネットワーク装置又は第２ネットワーク装置は、端末により報告された端末のアップリンク通信能力を受信する。
【０１５９】
任意的に、第１ネットワーク装置又は第２ネットワーク装置は、端末へ指示情報を送信する。指示情報は、端末のアップリンク通信能力を有効にするか否かを端末に示すために使用される。端末は、第１ネットワーク装置又は第２ネットワーク装置から指示情報を受信し、該指示情報に従い、端末のアップリンク通信能力を有効にするか否かを決定する。端末のアップリンク通信能力が有効にされるときのみ、端末は、サポートされるアンテナ能力を第１値から第２値へと切り替えることができ、第２ネットワーク装置のアイドル無線周波数リンクを介して、信号を第１ネットワーク装置へ都合良く送信できる。
【０１６０】
端末が第１ネットワーク装置への接続を確立するとき、端末は、第１ネットワーク装置へ端末のアップリンク通信能力を報告する。端末が第２ネットワーク装置への接続を確立するとき、端末は、第２ネットワーク装置へ端末のアップリンク通信能力を報告する。
【０１６１】
端末が、アイドル無線周波数リンク及び第１ネットワーク装置に対応する無線周波数リンクの両方を介して第１ネットワーク装置へ信号を都合良く送信する必要がある場合、第１ネットワーク装置は、端末のアップリンク通信能力を知る必要がある。端末が端末のアップリンク通信能力「を第１ネットワーク装置に報告すると、第１ネットワーク装置は、端末のアップリンク通信能力を知る。代替として、端末が端末のアップリンク通信能力を第２ネットワーク装置に報告するとき、第２ネットワーク装置は、端末のアップリンク通信能力を第１ネットワーク装置へ送信子、第１ネットワーク装置は、第２ネットワーク装置により送信された受信した情報に基づき、端末のアップリンク通信能力を知る。
【０１６２】
アップリンク通信能力は、端末が第１ネットワーク装置へ信号を送信するときに使用されるアンテナ能力が第１適用シナリオにおいて第１値であること、及び端末が第１ネットワーク装置へ信号を送信するときに使用されるアンテナ能力が第２適用シナリオにおいて第２値であることを含む。
【０１６３】
アンテナ能力は、アンテナポート数、レイヤ数、無線周波数リンク数、アンテナ数、最大アンテナポート数、最大レイヤ数、最大無線周波数リンク数、又は最大アンテナ数を含む。本願の本実施形態の説明では、アンテナポートは一例として記載され、アンテナポートの方法は、別のアンテナ能力表現形式に適用されてもよい。
【０１６４】
アンテナ能力が最大アンテナポート数である場合、アップリンク通信能力は、端末が第１ネットワーク装置へ信号を送信するときに使用される最大アンテナポート数が第１適用シナリオにおいて第１値であること、及び端末が第１ネットワーク装置へ信号を送信するときに使用される最大アンテナポート数が第２適用シナリオにおいて第２値であることを含む。例えば、第１値が１であり、第２値が２である場合、アップリンク通信能力は、端末が第１ネットワーク装置へ信号を送信するときに使用される最大アンテナポート数が第１適用シナリオにおいて１であること、言い換えると、端末によりサポートされるアンテナ能力が１ポートであること、端末が第１ネットワーク装置へ信号を送信するときに使用される最大アンテナポート数が第２適用シナリオにおいて２であること、言い換えると、端末によりサポートされるアンテナ能力が２ポートであることを含む。
【０１６５】
第１適用シナリオ及び第２適用シナリオは、２つの異なるシナリオ又は２つの異なる時間ドメインリソースである。具体的に、第１適用シナリオは、端末が第２ネットワーク装置へ信号を送信することであり、第２適用シナリオは、端末が第２ネットワーク装置へ信号を送信しないことである。端末が第２ネットワーク装置へ信号を送信しないとき、第２ネットワーク装置に対応する無線周波数リンク又はアンテナポートは、アイドルである。この場合、端末は、アイドル無線周波数リンクを介して又はアイドルアンテナポートを通じて、第１ネットワーク装置へ信号を送信してよい。
【０１６６】
代替として、第１適用シナリオは、端末が第２ネットワーク装置へ信号の第１時間ドメインリソースを送信することを許可されることであり、第２適用シナリオは、端末が第２ネットワーク装置へ信号の第２時間ドメインリソースを送信することを許可されないことである。第１時間ドメインリソース及び第２時間ドメインリソースは、ネットワーク側で構成され、又はプロトコルで指定されてよい。
【０１６７】
端末は、端末のアップリンク通信能力を以下の方法１又は方法２で報告してよい。
【０１６８】
方法１：端末は、第１ネットワーク装置又は第２ネットワーク装置へ第１メッセージを送信する。第１メッセージはＲＲＣメッセージであってよく、第１メッセージは、端末のアップリンク通信能力を運ぶ。
【０１６９】
第１メッセージないの情報要素（information  element,  IE）は、端末のアップリンク通信能力を示すために使用され、ＩＥは第１ＩＥにより表される。ＩＥは、列挙型であってよい。例えば、ＩＥは、以下のように表現される：アップリンク通信能力−列挙型｛能力１，能力２，．．，能力ｎ｝。能力１〜能力ｎは、ｎ個の列挙されたアップリンク通信能力であり、能力のうちの１つが、ステップ４０２で端末により報告されたアップリンク通信能力である。
【０１７０】
例えば、アンテナ能力が最大アンテナポート数である場合、端末のアップリンク通信能力は、端末が第１ネットワーク装置へ信号を送信するときに使用される最大アンテナポート数が第１適用シナリオにおいて第１値であること、及び端末が第１ネットワーク装置へ信号を送信するときに使用される最大アンテナポート数が第２適用シナリオにおいて第２値であることを含む。
【０１７１】
第１値が１であり、第２値が２である場合、ＩＥは以下のように表現されてよい：ａｎｔｅｎｎａＰｏｒｔＣａｐａｂｉｌｉｔｙ  ＥＮＵＭＥＲＡＴＥＤ｛ｏｎｅＡｎｔｅｎｎａＰｏｒｔ，ｔｗｏＡｎｔｅｎｎａＰｏｒｔ，ｏｎｅＰｌｕｓＯｎｅＡｎｔｅｎｎａＰｏｒｔ｝。ここで、ａｎｔｅｎｎａＰｏｒｔＣａｐａｂｉｌｉｔｙは、アンテナポート能力、つまり端末のアップリンク通信能力を示し、ＲＲＣシグナリングの名称である。ＥＮＵＭＥＲＡＴＥＤは、ＩＥが列挙型であることを示し、アンテナポート能力の値は、列挙された値のうちの任意の１つである。ｏｎｅＡｎｔｅｎｎａＰｏｒｔは、アンテナポート能力が１つのアンテナポートであること、言い換えると、端末が第１ネットワーク装置へ信号を送信するときに端末によりサポートされる最大アンテナポート数が１であることを示す。ｔｗｏＡｎｔｅｎｎａＰｏｒｔは、アンテナポート能力が２つのアンテナポートであること、言い換えると、端末が第１ネットワーク装置へ信号を送信するときに端末によりサポートされる最大アンテナポート数が２であることを示す。ｏｎｅＰｌｕｓＯｎｅＡｎｔｅｎｎａＰｏｒｔは、アンテナポート能力が１アンテナポートから２アンテナポートへ切り替えられること、言い換えると、端末が第１ネットワーク装置へ信号を送信するときに端末によりサポートされる最大アンテナポート数が１アンテナポートから２アンテナポートへ切り替えられることを示す。この場合、１アンテナポートが第１適用シナリオで使用され、２アンテナポートが第２適用シナリオで使用されることが分かる。
【０１７２】
第１値が２であり、第２値が４である場合、ＩＥは以下のように表現されてよい：ａｎｔｅｎｎａＰｏｒｔＣａｐａｂｉｌｉｔｙ  ＥＮＵＭＥＲＡＴＥＤ｛ｏｎｅＡｎｔｅｎｎａＰｏｒｔ，ｔｗｏＡｎｔｅｎｎａＰｏｒｔ，ｔｗｏＡｎｔｅｎｎａＰｏｒｔ，ｏｎｅＰｌｕｓＯｎｅＡｎｔｅｎｎａＰｏｒｔ，ｔｗｏＰｌｕｓＴｗｏＡｎｔｅｎｎａＰｏｒｔ｝。ここで、ａｎｔｅｎｎａＰｏｒｔＣａｐａｂｉｌｉｔｙは、アンテナポート能力、つまり端末のアップリンク通信能力を示し、ＲＲＣシグナリングの名称である。ＥＮＵＭＥＲＡＴＥＤは、ＩＥが列挙型であることを示し、アンテナポート能力の値は、列挙された値のうちの任意の１つである。ｏｎｅＡｎｔｅｎｎａＰｏｒｔは、アンテナポート能力が１つのアンテナポートであること、言い換えると、端末が第１ネットワーク装置へ信号を送信するときに端末によりサポートされる最大アンテナポート数が１であることを示す。ｔｗｏＡｎｔｅｎｎａＰｏｒｔは、アンテナポート能力が２つのアンテナポートであること、言い換えると、端末が第１ネットワーク装置へ信号を送信するときに端末によりサポートされる最大アンテナポート数が２であることを示す。ｆｏｕｒＡｎｔｅｎｎａＰｏｒｔは、アンテナポート能力が４つのアンテナポートであること、言い換えると、端末が第１ネットワーク装置へ信号を送信するとき端末によりサポートされる最大アンテナポート数が４であることを示し、ｏｎｅＰｌｕｓＯｎｅＡｎｔｅｎｎａＰｏｒｔは、アンテナポート能力が１から２へ切り替えられること、言い換えると、端末が第１ネットワーク装置へ信号を送信するときに端末によりサポートされる最大アンテナポート数が１アンテナポートから２アンテナポートへ切り替えられることを示す。この場合、１アンテナポートが第１適用シナリオで使用され、２アンテナポートが第２適用シナリオで使用されることが分かる。更に、ｔｗｏＰｌｕｓＴｗｏＡｎｔｅｎｎａＰｏｒｔは、アンテナポート能力が２アンテナポートから４アンテナポートへ切り替えられること、言い換えると、端末が第１ネットワーク装置へ信号を送信するときに端末によりサポートされる最大アンテナポート数が２から４に切り替えられることを示す。この場合、２アンテナポートが第１適用シナリオで使用され、４アンテナポートが第２適用シナリオで使用されることが分かる。
【０１７３】
方法２：端末は、第１ネットワーク装置又は第２ネットワーク装置へ第２メッセージを送信する。第２メッセージはＲＲＣメッセージであってよく、第２メッセージは、端末のアップリンク通信能力を運ぶ。
【０１７４】
第２メッセージないの２つのＩＥが、端末のアップリンク通信能力を示すために使用される。２つのＩＥは、それぞれ、第２ＩＥ及び第３ＩＥを含みにより表される。第２ＩＥは、列挙型であってよい。例えば、ＩＥは、以下のように表現される：アップリンク通信能力−列挙型｛能力１，能力２，．．，能力ｎ｝。能力１〜能力ｎは、ｎ個の列挙されたアップリンク通信能力であり、能力１〜能力ｎは、ステップ４０２で端末により報告されたアップリンク通信能力を含まない。第３ＩＥは、ブール型であってよい。例えば、第３ＩＥは、以下のように表現される：アップリンク通信能力−ブール型。第３ＩＥ内で示されるアップリンク通信能力は、ステップ４０２で端末により報告されたアップリンク通信能力である。ブール型の値は真又は偽である。ブール型の値が真である場合、それは、端末がアップリンク通信能力をサポートすることを示す。或いは、ブール型の値が偽である場合、それは、端末がアップリンク通信能力をサポートしないことを示す。
【０１７５】
例えば、アンテナ能力が最大アンテナポート数である場合、端末のアップリンク通信能力は、端末が第１ネットワーク装置へ信号を送信するときに使用される最大アンテナポート数が第１適用シナリオにおいて第１値であること、及び端末が第１ネットワーク装置へ信号を送信するときに使用される最大アンテナポート数が第２適用シナリオにおいて第２値であることを含む。
【０１７６】
第１値が１であり、第２値が２である場合、第２ＩＥは以下のように表現されてよい：ａｎｔｅｎｎａＰｏｒｔＣａｐａｂｉｌｉｔｙ  ＥＮＵＭＥＲＡＴＥＤ｛ｏｎｅＡｎｔｅｎｎａＰｏｒｔ，ｔｗｏＡｎｔｅｎｎａＰｏｒｔ｝又はａｎｔｅｎｎａＰｏｒｔＣａｐａｂｉｌｉｔｙ  ＥＮＵＭＥＲＡＴＥＤ｛ｏｎｅＡｎｔｅｎｎａＰｏｒｔ，ｔｗｏＡｎｔｅｎｎａＰｏｒｔ，ｆｏｕｒＡｎｔｅｎｎａＰｏｒｔ｝。ここで、ａｎｔｅｎｎａＰｏｒｔＣａｐａｂｉｌｉｔｙは、アンテナポート能力、つまり端末のアップリンク通信能力を示し、ＲＲＣシグナリングの名称である。ＥＮＵＭＥＲＡＴＥＤは、第２ＩＥが列挙型であることを示し、アンテナポート能力の値は、列挙された値のうちの任意の１つである。ｏｎｅＡｎｔｅｎｎａＰｏｒｔは、アンテナポート能力が１アンテナポートであること、言い換えると、端末が第１ネットワーク装置へ信号を送信するときに端末によりサポートされる最大アンテナポート数が１であることを示す。ｔｗｏＡｎｔｅｎｎａＰｏｒｔは、アンテナポート能力が２アンテナポートであること、言い換えると、端末が第１ネットワーク装置へ信号を送信するときに端末によりサポートされる最大アンテナポート数が２であることを示す。ｆｏｕｒＡｎｔｅｎｎａＰｏｒｔは、アンテナポート能力が４アンテナポートであること、言い換えると、端末が第１ネットワーク装置へ信号を送信するときに端末によりサポートされる最大アンテナポート数が４であることを示す。第３ＩＥは、以下のように表現されてよい：ｏｎｅＰｌｕｓＯｎｅＡｎｔｅｎｎａＰｏｒｔ  ＢＯＯＬＥＡＮ。ここで、ｏｎｅＰｌｕｓＯｎｅＡｎｔｅｎｎａＰｏｒｔは、アンテナポート能力が１アンテナポートから２アンテナポートへ切り替えられること、言い換えると、端末が第１ネットワーク装置へ信号を送信するときに端末によりサポートされる最大アンテナポート数が１アンテナポートから２アンテナポートに切り替えられることを示す。この場合、１アンテナポートが第１適用シナリオで使用され、２アンテナポートが第２適用シナリオで使用されることが分かる。更に、ＢＯＯＬＥＡＮは、第３ＩＥがブール型であることを示す。ブール値が真であるとき、それは、端末がｏｎｅＰｌｕｓＯｎｅＡｎｔｅｎｎａＰｏｒｔのアンテナポート能力をサポートすることを示す。或いは、ブール値が偽であるとき、それは、端末がｏｎｅＰｌｕｓＯｎｅＡｎｔｅｎｎａＰｏｒｔのアンテナポート能力をサポートしないことを示す。第２ＩＥの列挙型の値がｔｗｏＡｎｔｅｎｎａＰｏｒｔ又はｆｏｕｒＡｎｔｅｎｎａＰｏｒｔであるときのみ、第３ＩＥがｏｎｅＰｌｕｓＯｎｅＡｎｔｅｎｎａＰｏｒｔのサポートされるアンテナポート能力が有効であることを示すことが分かる。
【０１７７】
第１値が２であり、第２値が４である場合、第２ＩＥは以下のように表現されてよい：ａｎｔｅｎｎａＰｏｒｔＣａｐａｂｉｌｉｔｙ  ＥＮＵＭＥＲＡＴＥＤ｛ｏｎｅＡｎｔｅｎｎａＰｏｒｔ，ｔｗｏＡｎｔｅｎｎａＰｏｒｔ，ｆｏｕｒＡｎｔｅｎｎａＰｏｒｔ｝。ここで、ａｎｔｅｎｎａＰｏｒｔＣａｐａｂｉｌｉｔｙは、アンテナポート能力、つまり端末のアップリンク通信能力を示し、ＲＲＣシグナリングの名称である。ＥＮＵＭＥＲＡＴＥＤは、第２ＩＥが列挙型であることを示し、アンテナポート能力の値は、列挙された値のうちの任意の１つである。ｏｎｅＡｎｔｅｎｎａＰｏｒｔは、アンテナポート能力が１アンテナポートであること、言い換えると、端末が第１ネットワーク装置へ信号を送信するときに端末によりサポートされる最大アンテナポート数が１であることを示す。ｔｗｏＡｎｔｅｎｎａＰｏｒｔは、アンテナポート能力が２アンテナポートであること、言い換えると、端末が第１ネットワーク装置へ信号を送信するときに端末によりサポートされる最大アンテナポート数が２であることを示す。ｆｏｕｒＡｎｔｅｎｎａＰｏｒｔは、アンテナポート能力が４アンテナポートであること、言い換えると、端末が第１ネットワーク装置へ信号を送信するときに端末によりサポートされる最大アンテナポート数が４であることを示す。第３ＩＥは以下のように表現されてよい：ｔｗｏＰｌｕｓＴｗｏＡｎｔｅｎｎａＰｏｒｔ  ＢＯＯＬＥＡＮ。ここで、ｔｗｏＰｌｕｓＴｗｏＡｎｔｅｎｎａＰｏｒｔは、アンテナポート能力が２アンテナポートから４アンテナポートへ切り替えられること、言い換えると、端末が第１ネットワーク装置へ信号を送信するときに端末によりサポートされる最大アンテナポート数が２から４に切り替えられることを示す。この場合、２アンテナポートが第１適用シナリオで使用され、４アンテナポートが第２適用シナリオで使用されることが分かる。更に、ＢＯＯＬＥＡＮは、第３ＩＥがブール型であることを示す。ブール値が真であるとき、それは、端末がｔｗｏＰｌｕｓＴｗｏＡｎｔｅｎｎａＰｏｒｔのアンテナポート能力をサポートすることを示す。或いは、ブール値が偽であるとき、それは、端末がｔｗｏＰｌｕｓＴｗｏＡｎｔｅｎｎａＰｏｒｔのアンテナポート能力をサポートしないことを示す。第２ＩＥの列挙型の値がｆｏｕｒＡｎｔｅｎｎａＰｏｒｔであるときのみ、第３ＩＥがｔｗｏＰｌｕｓＴｗｏＡｎｔｅｎｎａＰｏｒｔのサポートされるアンテナポート能力が有効であることを示すことが分かる。
【０１７８】
留意すべきことに、第２ＩＥ及び第３ＩＥは、送信のために第２メッセージ内で運ばれてよく、又は送信のために２つのメッセージ内で運ばれてよい。
【０１７９】
通信方法１によると、端末は、端末のアップリンク通信能力をネットワーク装置に報告し、ネットワーク装置は、端末により報告されたアップリンク通信能力を用いて、端末がアンテナ能力値から別のアンテナ能力値への切り替えをサポートすることを決定する。例えば、端末は、第１アンテナポートを通じて第１ネットワーク装置へ信号を送信し、第２アンテナポートを通じて第２ネットワーク装置へ信号を送信する。端末が１ポートから２ポートへのアンテナポート能力の切り替えをサポートする場合、第２アンテナポートがアイドルであるとき、端末は、第２アンテナポート及び第１アンテナポートの両方を通じて第１ネットワーク装置へ信号を都合良く送信してよい。これは、無線周波数リンク共有又はアンテナポート共有を実施し、無線周波数リンク利用率又はアンテナポート利用率を向上し、アップリンク送信レートを増大し、及び通信能力を向上できる。
【０１８０】
アップリンク信号を送信する前に、端末は、チャネル測定を実行するために、参照信号を送信する。実施形態１で提供されるアップリンク通信能力を有する端末では、端末は、異なる適用シナリオにおいて異なるアンテナ能力をサポートできる。端末のアンテナ能力が、信号送信のために複数のアンテナポートに切り替えられるとき、異なるアンテナポートに対応する異なるチャネルが、確実に測定される必要がある。従って、端末は、異なるアンテナポートに対応する異なる参照信号を、ネットワーク装置に報告する必要がある。この場合、ネットワーク装置は、端末が異なるアンテナポートに対応するチャネルの参照信号を報告するために、異なる参照信号リソースを構成する必要がある。アンテナ能力がアンテナポート数である一例が、本実施形態の説明のために使用される。アンテナ能力は、代替として、レイヤ数、無線周波数リンク数、等であってよいことが分かる。
【０１８１】
これに基づき、本願の本実施形態は、実施形態１で提供されるアップリンク通信能力を有する端末のために参照信号リソースを構成する方法を提供して、無線周波数リンク共有またはアンテナポート共有を実施し、それによりアップリンク送信レートを向上する。特定の方法については、以下の通信方法２を参照する。留意すべきことに、以下の通信方法２は、実施形態１で提供されたアップリンク通信能力を有する端末のために参照信号リソースを構成するために使用されてよく、或いは、別の種類の端末のために参照信号リソースを構成するために使用されてよく、方法の効果は、異なる参照信号リソースが異なるアンテナポートのために構成できることである」。
【０１８２】
図２に示す通信システムのアーキテクチャに基づき、図５に示すように、以下は、本願の一実施形態による通信方法２を詳細に説明する。
【０１８３】
本願で提供される通信方法２の基本思想は次の通りである。端末は、ネットワーク装置の構成メッセージを受信する。構成メッセージは、２つの構成情報を含み、２つの構成情報は、２つの参照信号リソースを示すために使用される。参照信号リソースは、アンテナポート番号又はアンテナポート数に関連する参照信号リソースである。端末は、一方の構成情報に基づき参照信号を送信し、他方の構成情報に基づき参照信号を送信してよい。この方法では、端末は、２つの構成情報を用いて２つの参照信号リソースを取得でき、それにより、無線周波数リンク共有を実施し、無線周波数リンク利用率を向上し、及びアップリンク送信レートを増大する。
【０１８４】
ステップ５０１。第１ネットワーク装置は、第１構成情報及び第２構成情報を端末へ送信し、端末は、第１構成情報及び第２構成情報を第１ネットワーク装置から受信する。
【０１８５】
前記第１構成情報は第１アンテナポートの第１参照信号リソースを示すために使用され、及び前記第２構成情報は第２アンテナポートの第２参照信号リソースを示すために使用され、或いは、前記第１構成情報は第１の数のアンテナポートの第３参照信号リソースを示すために使用され、及び前記第２構成情報は第２の数のアンテナポートの第４参照信号リソースを示すために使用される。
【０１８６】
ステップ５０２。端末は、第１構成情報に基づき第１参照信号を送信子、第２構成情報に基づき第２参照信号を送信し、第１ネットワーク装置は、端末により送信された第１参照信号及び第２参照信号を受信する。
【０１８７】
以下は、第１構成情報及び第２構成情報の異なる指示内容に基づき異なる場合を詳細に説明する。
【０１８８】
第１の場合には、第１構成情報は、第１アンテナポートの第１参照信号リソースを示すために使用され、第２構成情報は、第２アンテナポートの第２参照信号リソースを示すために使用される。
【０１８９】
端末は、第１構成情報に基づき第１アンテナポートの第１参照信号リソースを取得し、第１アンテナポートを通じて第１参照信号リソースで第１参照信号を送信する。端末は、第２構成情報に基づき第２アンテナポートの第２参照信号リソースを取得し、第２アンテナポートを通じて第２参照信号リソースで第２参照信号を送信する。実際の適用の間、端末は、第１アンテナポートに対応する第１無線周波数リンクを有効にし、第２アンテナポートに対応する第２無線周波数リンクを有効にしてよい。この場合、端末は、第１構成情報に基づき第１アンテナポートの第１参照信号リソースを取得し、第１無線周波数リンクを介して第１参照信号リソースで第１参照信号を送信し、端末は、第２構成情報に基づき第２アンテナポートの第２参照信号リソースを取得し、第２無線周波数リンクを介して第２参照信号リソースで第２参照信号を送信する。第１参照信号は、第１アンテナポートのチャネル状態を評価するために使用され、第２参照信号は、第２アンテナポートのチャネル状態を評価するために使用される。端末により送信された第１参照信号を受信した後に、第１ネットワーク装置は、第１参照信号に基づき、第１アンテナポートのチャネル状態を推定する。言い換えると、第１ネットワーク装置は、第１参照信号に基づき、第１無線周波数リンクのチャネル状態を推定する。端末により送信された第２参照信号を受信した後に、第１ネットワーク装置は、第２参照信号に基づき、第２アンテナポートのチャネル状態を推定する。言い換えると、第１ネットワーク装置は、第２参照信号に基づき、第２無線周波数リンクのチャネル状態を推定する。
【０１９０】
第１の場合には、第１構成情報及び第２構成情報の指示方法は、限定ではないが以下の方法を含んでよい。
【０１９１】
第１構成情報内のＩＥが、第１参照信号リソースを示すために使用され、又は第１構成情報内のリソースタイプの中のＩＥが、第１参照信号リソースを示すために使用される。
【０１９２】
参照信号がＳＲＳである一例が使用される。参照信号が別のタイプであるとき、記載の方法が適用可能である。第１構成情報が第１ＳＲＳリソース（SRS−resource）であり、又は第１構成情報が第１ＳＲＳリソースセット（SRS−resource  set）である。ＩＥは、第１ＳＲＳリソース又は第１ＳＲＳリソースセットに新たに追加され、ＩＥは、第１アンテナポートを示すために使用される。代替として、ＩＥは、第１ＳＲＳリソース内のリソースタイプ（resource  type）に新たに追加され、又はＩＥは、第１ＳＲＳリソースセット内のリソースタイプ（resource  type）に新たに追加される。第１ＳＲＳリソースは、構成情報の中の変数又は構成された名称、又はＩＥ名である。同様に、第２ＳＲＳリソースは、構成情報の中の変数又は構成された名称、又はＩＥ名である。
【０１９３】
新たに追加されたＩＥの名称は、サポートされるアンテナポート（associatedAntennaPort）であってよく、ＩＥのタイプは、列挙型ＥＮＵＭＥＲＡＴＥＤであってよく、ＩＥの列挙された任意的な値は、第１アンテナポート及び別のアンテナポートを含む。例えば、第１アンテナポートがＡｎｔｅｎｎａＰｏｒｔ０であり、別のアンテナポートがＡｎｔｅｎｎａＰｏｒｔ１である場合、ＩＥは以下のように表現されてよい：ａｓｓｏｃｉａｔｅｄＡｎｔｅｎｎａＰｏｒｔ  ＥＮＵＭＥＲＡＴＥＤ｛ＡｎｔｅｎｎａＰｏｒｔ０，ＡｎｔｅｎｎａＰｏｒｔ１｝。列挙された値がＡｎｔｅｎｎａＰｏｒｔ０であるとき、それは、ＩＥにより示されるＳＲＳリソースが、第１アンテナポートの第１ＳＲＳリソース（つまり、第１参照信号リソース）であることを示す。第１ＳＲＳリソース又は第１ＳＲＳリソースセットを受信すると、端末は、第１ＳＲＳリソース又は第１ＳＲＳリソースセットに新たに追加されたＩＥに基づき、及びＩＥの列挙された値がＡｎｔｅｎｎａＰｏｒｔ０であることに基づき、第１ＳＲＳリソースが第１アンテナポートＡｎｔｅｎｎａＰｏｒｔ０に関連付けられることを決定してよい。端末において、第１アンテナポートＡｎｔｅｎｎａＰｏｒｔ０は第１無線周波数リンクにマッピングされる。この場合、端末は、第１無線周波数リンクを介して第１ＳＲＳリソースで第１ＳＲＳを送信してよく、第１ネットワーク装置は、受信した第１ＳＲＳに基づき、端末と第１アンテナポートとの間のチャネルの品質を測定してよい。
【０１９４】
同様に、第２構成情報内のＩＥが、第２参照信号リソースを示すために使用され、又は第２構成情報内のリソースタイプの中のＩＥが、第２参照信号リソースを示すために使用される。
【０１９５】
同様に、参照信号がＳＲＳである一例が使用される。参照信号が別のタイプであるとき、記載の方法が適用可能である。第２構成情報が第２ＳＲＳリソース（SRS−resource）であり、又は第２構成情報が第２ＳＲＳリソースセット（SRS−resource  set）である。ＩＥは、第２ＳＲＳリソース又は第２ＳＲＳリソースセットに新たに追加され、ＩＥは、第２アンテナポートを示すために使用される。代替として、ＩＥは、第２ＳＲＳリソース内のリソースタイプ（resource  type）に新たに追加され、又はＩＥは、第２ＳＲＳリソースセット内のリソースタイプ（resource  type）に新たに追加される。
【０１９６】
新たに追加されたＩＥの名称は、サポートされるアンテナポート（associatedAntennaPort）であってよく、ＩＥのタイプは、列挙型ＥＮＵＭＥＲＡＴＥＤであってよく、ＩＥの列挙された任意的な値は、第２アンテナポート及び別のアンテナポートを含む。例えば、第２アンテナポートがＡｎｔｅｎｎａＰｏｒｔ１であり、別のアンテナポートがＡｎｔｅｎｎａＰｏｒｔ０である場合、ＩＥは以下のように表現されてよい：ａｓｓｏｃｉａｔｅｄＡｎｔｅｎｎａＰｏｒｔ  ＥＮＵＭＥＲＡＴＥＤ｛ＡｎｔｅｎｎａＰｏｒｔ０，ＡｎｔｅｎｎａＰｏｒｔ１｝。列挙された値がＡｎｔｅｎｎａＰｏｒｔ１であるとき、それは、ＩＥにより示されるＳＲＳリソースが、第２アンテナポートの第２ＳＲＳリソース（つまり、第２参照信号リソース）であることを示す。第２ＳＲＳリソース又は第２ＳＲＳリソースセットを受信すると、端末は、第２ＳＲＳリソース又は第２ＳＲＳリソースセットに新たに追加されたＩＥに基づき、及びＩＥの列挙された値がＡｎｔｅｎｎａＰｏｒｔ１であることに基づき、第２ＳＲＳリソースが第２アンテナポートＡｎｔｅｎｎａＰｏｒｔ１に関連付けられることを決定してよい。端末において、第２アンテナポートＡｎｔｅｎｎａＰｏｒｔ１は第２無線周波数リンクにマッピングされる。この場合、端末は、第２無線周波数リンクを介して第２ＳＲＳリソースで第２ＳＲＳを送信してよく、第１ネットワーク装置は、受信した第２ＳＲＳに基づき、端末と第２アンテナポートとの間のチャネルの品質を測定してよい。
【０１９７】
このように、異なる参照信号リソースが異なるアンテナポートのために構成され、その結果、前記端末は、前記異なる参照信号リソース上で異なる参照信号を送信でき、前記ネットワーク装置は、前記異なる参照信号を用いて、前記異なるアンテナポートに対応する無線周波数リンクのチャネル品質を決定し、それにより、無線周波数リンク共有を実施し、無線周波数リンク利用率を向上し、及びアップリンク送信レートを増大する。
【０１９８】
第２の場合には、第１構成情報は、第１の数のアンテナポートの第３参照信号リソースを示すために使用され、第２構成情報は、第２の数のアンテナポートの第４参照信号リソースを示すために使用される。
【０１９９】
第１の数のアンテナポートが使用される適用シナリオで、端末は、第１構成情報に基づき第１の数のアンテナポートの第３参照信号リソースを取得し、第１の数のアンテナポートを通じて第３参照信号リソースで第１参照信号を送信する。第２の数のアンテナポートが使用される適用シナリオで、端末は、第２構成情報に基づき第２の数のアンテナポートの第４参照信号リソースを取得し、第２の数のアンテナポートを通じて第４参照信号リソースで第２参照信号を送信する。第１の数のアンテナポートは、ここでは、アンテナポート数が第１の数であることを意味する。例えば、第１の数が１である場合、第３参照信号リソースを用いるアンテナポートの数は１であり、端末は、１つのアンテナポートを通じて第３参照信号リソースで第１参照信号を送信する。同様に、第２の数のアンテナポートは、アンテナポート数が第２の数であることを意味する。例えば、第１の数が２である場合、第４参照信号リソースを用いるアンテナポートの数は２であり、端末は、２つのアンテナポートを通じて第４参照信号リソースで第２参照信号を送信する。
【０２００】
第１の数が２ｍであり、第２の数が２ｍ＋１であり、ここで、ｍは０、１、２のような整数であると仮定する。実際の適用の間、端末は、２ｍ個の第１アンテナポートに対応する２ｍ個の第１無線周波数リンクを有効にし、２ｍ個の第２アンテナポートに対応する２ｍ個の第２無線周波数リンクを有効にしてよい。ここで、第１無線周波数リンクは、第１適用シナリオで端末が第１ネットワーク装置と通信するときに使用される無線周波数リンクであり、第１アンテナポートは、第１適用シナリオで端末が第１ネットワーク装置と通信するために使用されるアンテナポートである。ここで、第２無線周波数リンクは、第１適用シナリオで端末が第２ネットワーク装置と通信するときに使用される無線周波数リンクであり、第２アンテナポートは、第１適用シナリオで端末が第２ネットワーク装置と通信するために使用されるアンテナポートである。第１適用シナリオで、端末は、２ｍ個の第１アンテナポートを通じて第１ネットワーク装置へ信号を送信し、２ｍ個の第２アンテナポートを通じて第２ネットワーク装置へ信号を送信する。第２適用シナリオで、端末は、２ｍ＋１個のアンテナポートを通じて第１ネットワーク装置へ信号を送信してよい。端末が、第１構成情報に基づき第１の数のアンテナポートの第３参照信号リソースを取得し、第２構成情報に基づき第２の数のアンテナポートの第４参照信号リソースを取得すると、端末は、第１の数が第２の数より少ないことを決定する。従って、第１適用シナリオで、第３参照信号リソースは、２ｍ個の第１アンテナポートを通じて第１ネットワーク装置へ信号を送信するために使用されることが決定され、第２適用シナリオで、第４参照信号リソースは、２ｍ＋１個のアンテナポートを通じて第１ネットワーク装置へ信号を送信するために使用されることが決定される。この場合、端末は、２ｍ個の第１アンテナポートを通じて（又は２ｍ個の第１無線周波数リンクを介して）第３参照信号リソースで第１参照信号を送信し、２ｍ個の第１アンテナポートを通じて（又は２ｍ個の第１無線周波数リンクを介して）及び２ｍ個の第２アンテナポートを通じて（又は２ｍ個の第２無線周波数リンクを介して）第４参照信号リソースで第２参照信号を送信する。端末により送信された第１参照信号を受信した後に、第１ネットワーク装置は、第１参照信号に基づき、２ｍ個の第１アンテナポート（又は２ｍ個の第１無線周波数リンク）のチャネル状態を推定する。端末により送信された第２参照信号を受信した後に、第１ネットワーク装置は、第２参照信号に基づき、２ｍ個の第１アンテナポート（又は２ｍ個の第１無線周波数リンク）及び２ｍ個の第２アンテナポート（又は２ｍ個の第２無線周波数リンク）のチャネル状態を推定する。
【０２０１】
第２の場合には、第１構成情報及び第２構成情報の指示方法は、以下のように説明される。
【０２０２】
第１構成情報内のＩＥが、第３参照信号リソースを示すために使用される。具体的に、第１構成情報内のポート数を示すために使用されるＩＥは、第３参照信号リソースを示す。第１構成情報内のＩＥにより示されるポート数が第１の数である場合、それは、第１構成情報により示される第３参照信号リソースが、第１の数のアンテナポートのリソースであることを示す。
【０２０３】
第２構成情報内のＩＥが、第４参照信号リソースを示すために使用される。具体的に、第２構成情報内のポート数を示すために使用されるＩＥは、第４参照信号リソースを示す。第２構成情報内のＩＥにより示されるポート数が第２の数である場合、それは、第２構成情報により示される第４参照信号リソースが、第２の数のアンテナポートのリソースであることを示す。
【０２０４】
参照信号がＳＲＳである一例が使用される。参照信号が別のタイプであるとき、記載の方法が適用可能である。第１構成情報が第３ＳＲＳリソース（SRS−resource）であり、又は第１構成情報が第３ＳＲＳリソースセット（SRS−resource  set）である。第３ＳＲＳリソース又は第３ＳＲＳリソースセット内のＩＥは、第１の数のアンテナポートを示すために使用される。例えば、ＩＥは以下のように表現される：ｎｒｏｆＳＲＳ−Ｐｏｒｔｓ  ＥＮＵＭＥＲＡＴＥＤ｛ｐｏｒｔ１，ｐｏｒｔｓ２，ｐｏｒｔｓ４｝。ここで、ｎｒｏｆＳＲＳ−ＰｏｒｔｓはＩＥ名であり、ＥＮＵＭＥＲＡＴＥＤは列挙型であり、括弧内の値は列挙された任意的値である。任意的値がｐｏｒｔ１であるとき、それは、第１の数が１であることを示し、それは、第３ＳＲＳリソースが１アンテナポートのリソースであることを示す。任意的値がportｓ２であるとき、それは、第１の数が２であることを示し、それは、第３ＳＲＳリソースが２アンテナポートのリソースであることを示す。任意的値がportｓ４であるとき、それは、第１の数が４であることを示し、それは、第３ＳＲＳリソースが４アンテナポートのリソースであることを示す。
【０２０５】
同様に、第２構成情報が第４ＳＲＳリソース（SRS−resource）であり、又は第２構成情報が第４ＳＲＳリソースセット（SRS−resource  set）である。第４ＳＲＳリソース又は第４ＳＲＳリソースセット内のＩＥは、第２の数のアンテナポートを示すために使用される。例えば、ＩＥは以下のように表現される：ｎｒｏｆＳＲＳ−Ｐｏｒｔｓ  ＥＮＵＭＥＲＡＴＥＤ｛ｐｏｒｔ１，ｐｏｒｔｓ２，ｐｏｒｔｓ４｝。ここで、ｎｒｏｆＳＲＳ−ＰｏｒｔｓはＩＥ名であり、ＥＮＵＭＥＲＡＴＥＤは列挙型であり、括弧内の値は列挙された任意的値である。任意的値がｐｏｒｔ１であるとき、それは、第２の数が１であることを示し、それは、第４ＳＲＳリソースが１アンテナポートのリソースであることを示す。任意的値がportｓ２であるとき、それは、第２の数が２であることを示し、それは、第４ＳＲＳリソースが２アンテナポートのリソースであることを示す。任意的値がportｓ４であるとき、それは、第２の数が４であることを示し、それは、第４ＳＲＳリソースが４アンテナポートのリソースであることを示す。
【０２０６】
第３ＳＲＳリソース又は第３ＳＲＳリソースセットを受信すると、端末は、第３ＳＲＳリソース又は第３ＳＲＳリソースセットに含まれるＩＥにより示されるアンテナポート数に基づき、第１の数のアンテナポートの第３ＳＲＳリソースを決定する。従って、端末は，第１の数のアンテナポートを通じて第３ＳＲＳリソースで第１ＳＲＳを送信する。第４ＳＲＳリソース又は第４ＳＲＳリソースセットを受信すると、端末は、第４ＳＲＳリソース又は第４ＳＲＳリソースセットに含まれるＩＥにより示されるアンテナポート数に基づき、第２の数のアンテナポートの第４ＳＲＳリソースを決定する。従って、端末は，第２の数のアンテナポートを通じて第４ＳＲＳリソースで第２ＳＲＳを送信する。第１の数のアンテナポートは、第１の数の無線周波数リンクにマッピングされ、第２の数のアンテナポートは、第２の数の無線周波数リンクにマッピングされる。第１ネットワーク装置は、受信した第１ＳＲＳに基づき第１の数の無線周波数リンクのチャネル品質を測定してよく、受信した第２ＳＲＳに基づき第２の数の無線周波数リンクのチャネル品質を測定してよい。
【０２０７】
この方法では、異なる参照信号リソースが異なる数のアンテナポートについて構成され、その結果、異なる無線周波数リンクに対応する参照信号リソースは前記端末に暗示的に示すことができる。従って、前記端末は、異なる参照信号リソース上で異なる参照信号を送信でき、前記ネットワーク装置は、前記異なる参照信号を用いて、異なるアンテナポートに対応する無線周波数リンクのチャネル品質を決定し、それにより、無線周波数リンク共有を実施し、無線周波数リンク利用率を向上し、及びアップリンク送信レートを増大する。
【０２０８】
更に、第２の場合には、１つのＩＥが、第１の数のアンテナポートのポート番号を示すために第１構成情報に追加され、１つのＩＥが、第１の数のアンテナポートのポート番号を示すために第１構成情報に追加され、１つのＩＥが、第２の数のアンテナポートのポート番号を示すために第２構成情報に追加され、１つのＩＥが、第２の数のアンテナポートのポート番号を示すために第２構成情報に追加される。例えば、追加されたＩＥは以下のように表現される：ａｓｓｏｃｉａｔｅｄＡｎｔｅｎｎａＰｏｒｔＬｉｓｔ  ＳＥＱＵＥＮＣＥ（ＳＩＺＥ（１．．．ｍａｘＮｒｏｆＳＲＳ−Ｐｏｒｔｓ））ＯＦ  ａｓｓｏｃｉａｔｅｄＡｎｔｅｎｎａＰｏｒｔ。ここで、ａｓｓｏｃｉａｔｅｄＡｎｔｅｎｎａＰｏｒｔＬｉｓｔは、ＩＥ名によりサポートされるアンテナポートのリストであり、ＳＥＱＵＥＮＣＥはＩＥのタイプであり、ＳＩＺＥはリストの長さ、言い換えると最大アンテナポート数である。第１の数のアンテナポートの特定のポート番号がＩＥを用いてリストされ、又は第２の数のアンテナポートの特定のポート番号がＩＥを用いてリストされる。
【０２０９】
例えば、端末によりサポート可能な最大アンテナポート数は４であり、第１ネットワーク装置により端末のために構成された第３参照信号リソースは、２つのアンテナポート（つまり、ｐｏｒｔｓ２）のために使用される。更に、第１ネットワーク装置は、第１構成情報に基づき、２つのアンテナポートのポート番号がＡｎｔｅｎｎａＰｏｒｔ０及びＡｎｔｅｎｎａＰｏｒｔ１であることを示し、端末は、第１構成情報内の２つのＩＥの指示に従い、２つのアンテナポートＡｎｔｅｎｎａＰｏｒｔ０及びＡｎｔｅｎｎａＰｏｒｔ１を通じて、第３参照信号リソースで参照信号を送信することを決定できる。
【０２１０】
別の例では、第１構成情報は、第３参照信号リソースを使用するアンテナポートの数が１ポートであることを示し、第２構成情報は、第４参照信号リソースを使用するアンテナポートが２ポートであることを示す。第１構成情報は、第３参照信号リソースを使用するアンテナポートのポート番号がＡｎｔｅｎｎａＰｏｒｔ０であることを更に示し、第２構成情報は、第４参照信号リソースを使用するアンテナポートがＡｎｔｅｎｎａＰｏｒｔ０及びＡｎｔｅｎｎａＰｏｒｔ１であることを示す。端末は、ＡｎｔｅｎｎａＰｏｒｔ０を通じて第３参照信号リソースで第１参照信号を送信し、ＡｎｔｅｎｎａＰｏｒｔ０及びＡｎｔｅｎｎａＰｏｒｔ１を通じて第４参照信号リソースで第２参照信号を送信する。第１参照信号及び第２参照信号を受信した後に、第１ネットワーク装置は、第１参照信号及び第２参照信号に基づきＡｎｔｅｎｎａＰｏｒｔ０に対応するチャネル状態を一緒に推定し、第２参照信号に基づきＡｎｔｅｎｎａＰｏｒｔ１のチャネル状態を推定する。
【０２１１】
このように、前記ネットワーク装置は、複数の参照信号に基づきチャネル状態推定を一緒に実行でき、それにより推定精度を向上する。
【０２１２】
実施形態１及び実施形態２の説明に基づき、図６に示すように、本願の実施形態は、通信方法３を更に提供する。通信方法３は、保護ソリューションを独立して構成してよく、又は保護ソリューションを構成するために通信方法１及び／又は通信方法２と結合されてよい。
【０２１３】
ステップ６０１。第１ネットワーク装置は、構成情報を端末へ送信し、端末は、第３構成情報を第１ネットワーク装置から受信する。
【０２１４】
実施形態２で説明した構成情報と区別するために、ここでの構成情報は第３構成情報と呼ばれる。第３構成情報は、第１時間内に第１アンテナポート及び第２アンテナポートの両方を通じて第１ネットワーク装置へ参照信号を送信するよう、及び第２時間内に第１アンテナポートだけを通じて第１ネットワーク装置へ参照信号を送信するよう端末に指示するために使用されるか、又は第３構成情報は、第１時間内に第２の数のアンテナポートを通じて第１ネットワーク装置へ参照信号を送信するよう、及び第２時間内に第１の数のアンテナポートを通じて第１ネットワーク装置へ参照信号を送信するよう端末に指示するために使用される。
【０２１５】
第１時間及び第２時間は隣接し、時間ドメインで交互に生じる。
【０２１６】
具体的に、参照信号が周期的である場合、第１ネットワーク装置は、端末のために周期値Ａを構成し、時間長Ｂを更に構成する。この場合、１周期の範囲内で、第１時間は開始位置から長さがＢである位置までであり、第２時間は該周期の中の長さがＡ−Ｂである残りの部分である。代替として、ネットワーク装置により端末のために構成される２つの時間長は、それぞれＡ及びＢであり、Ａは第１時間に対応し、Ｂは第２時間に対応する。構成が完了した後に、Ａ及びＢは交互に且つ周期的に現れる。
【０２１７】
ステップ６０２。端末は、第３構成情報に基づき参照信号を送信し、第１ネットワーク装置は、端末により送信された参照信号を受信する。
【０２１８】
実施形態２の説明を参照して、第１構成情報は、第１アンテナポートの第１参照信号リソースを示すために使用され、第２構成情報は、第２アンテナポートの第２参照信号リソースを示すために使用される。第３構成情報に基づき、端末は、第１時間内で第１アンテナポートを通じて第１参照信号リソースで参照信号を送信し、第１時間内で第２アンテナポートを通じて第２参照信号リソースで参照信号を送信する。端末は、第２時間内で第１アンテナポートのみを通じて第１参照信号リソースで参照信号を送信する。更に、実施形態１の説明を参照して、例えば、第１時間は、端末が第１アンテナポート及び第２アンテナポートの両方を通じて信号を送信する第２適用シナリオに適用されてよく、第２時間は、端末が第１アンテナポートのみを通じて信号を送信する第１適用シナリオに適用されてよい。
【０２１９】
代替として、実施形態２の説明を参照して、第１構成情報は、第１の数のアンテナポートの第３参照信号リソースを示すために使用され、第２構成情報は、第２の数のアンテナポートの第４参照信号リソースを示すために使用される。第３構成情報に基づき、端末は、第１時間内で第２の数のアンテナポートを通じて第４参照信号リソースで参照信号を送信し、第２時間内で第１の数のアンテナポートを通じて第３参照信号リソースで参照信号を送信する。更に、実施形態１の説明を参照して、例えば、第１時間は、端末が第２の数のアンテナポートを通じて信号を送信する第２適用シナリオに適用されてよく、第２時間は、端末が第１の数のアンテナポートを通じて信号を送信する第２適用シナリオに適用されてよい。
【０２２０】
図７に示すように、第１時間はＴ１により表され、第２時間はＴ２により表される。Ｔ１内で、端末は、第１アンテナポート及び第２アンテナポートを通じてＳＲＳ信号を送信し、言い換えると、２Ｔを用いてＳＲＳ信号を送信する。Ｔ２内で、端末は、第１アンテナポートを通じてＳＲＳ信号を送信し、言い換えると、１Ｔを用いてＳＲＳ信号を送信する。ここで、２Ｔは、２回の送信、言い換えると２つのアンテナポートまたは２つの無線周波数リンクを意味し、１Ｔは、１回の送信、言い換えると１つのアンテナポート又は１つの無線周波数リンクを意味する。
【０２２１】
ＳＲＳタイプは、周期的ＳＲＳ、半永続的ＳＲＳ、及び非周期的ＳＲＳを含む。従って、異なるタイプのＳＲＳでは、前述の送信モードの実際の送信方法は以下の通りである。
【０２２２】
周期的ＳＲＳでは、構成が完了した後に、第１時間内で、参照信号は、各周期の中で第１アンテナポート及び第２アンテナポートの両方を通じて第１ネットワーク装置へ送信され、言い換えると、第１時間内で、参照信号は各周期の中で第２の数のアンテナポートを通じて第１ネットワーク装置へ送信され、第２時間内で、参照信号は各周期の中で第１アンテナポートだけを通じて第１ネットワーク装置へ送信され、言い換えると、第２時間内で、参照信号は各周期の中で第１の数のアンテナポートを通じて第１ネットワーク装置へ送信される。
【０２２３】
半永続的ＳＲＳでは、構成が完了した後に、起動中に、第１時間内で、参照信号は、各周期の中で第１アンテナポート及び第２アンテナポートの両方を通じて第１ネットワーク装置へ送信され、言い換えると、第１時間内で、参照信号は各周期の中で第２の数のアンテナポートを通じて第１ネットワーク装置へ送信され、第２時間内で、参照信号は各周期の中で第１アンテナポートだけを通じて第１ネットワーク装置へ送信され、言い換えると、第２時間内で、参照信号は各周期の中で第１の数のアンテナポートを通じて第１ネットワーク装置へ送信される。
【０２２４】
非周期的ＳＲＳでは、ＳＲＳの送信は、ダウンリンク制御情報（downlink  control  information,  DCI）を用いてトリガされる必要があり、対応するＳＲＳインデックス値はＤＣＩ内で示される。本願の本実施形態では、ＤＣＩ内のインデックス値は異なる方法で示されてよい。例えば、ＤＣＩ内の対応するフィールドが「０１」である場合、それは、「ＳＲＳリソースセットの中で、インデックス値が１に等しいＳＲＳの送信」がトリガされることを示す。ＤＣＩ及び／又はＤＣＩに対応するＳＲＳが第１時間内に送信された場合、それは、ＤＣＩが第１参照信号の送信をトリガしたことを意味し、端末は、第１アンテナポート及び第２アンテナポートを通じて第１参照信号を送信し、又は端末は、第２の数のアンテナポートを通じて第１参照信号を送信する。ＤＣＩ及び／又はＤＣＩに対応するＳＲＳが第２時間内に送信された場合、それは、ＤＣＩが第２参照信号の送信をトリガしたことを意味し、端末は、第１アンテナポートを通じて第２参照信号を送信し、又は端末は、第１の数のアンテナポートを通じて第２参照信号を送信する。
【０２２５】
ネットワーク装置により端末のために構成された第１時間及び第２時間が交互に生じる前述の送信モードでは、端末は、第１時間内に実施形態１で説明したアップリンク通信能力を使用できる。具体的に言うと、端末が第１ネットワーク装置へ信号を送信するときに使用されるアンテナ能力が第１適用シナリオにおいて第１値であり、及び端末が第１ネットワーク装置へ信号を送信するときに使用されるアンテナ能力が第２適用シナリオにおいて第２値である。しかしながら、アップリンク通信能力は、第２時間内に使用されることを許可されない。この方法では、第２ネットワーク装置は、第２時間内で端末をスケジューリングできるが、第１時間内で端末をスケジューリングできない。送信モードが決定され、その結果、端末、第１ネットワーク装置、及び第２ネットワーク装置は、アイドル無線周波数リンクが共同信号送信のために都合良く使用できる特定の時間、及びアイドル無線周波数リンクが共同信号送信のために使用できない特定の時間について合意に達することができる。
【０２２６】
前述の幾つかの実施形態の説明に基づき、図８に示すように、本願の実施形態は、無線周波数リンク共有を実施するために通信方法４を更に提供する。特定の方法は以下の通り記載される。
【０２２７】
ステップ８０１。第１時間ドメインリソースで、端末は、第１無線周波数リンクを介して第１ネットワーク装置と通信し、第２無線周波数リンクを介して第２ネットワーク装置と通信する。
【０２２８】
ステップ８０２。端末は、第１無線周波数リンク及び第２無線周波数リンクを介して第２時間ドメインリソースで第１ネットワーク装置と通信する。
【０２２９】
第１時間ドメインリソースは、サブフレーム、スロット、又はシンボルであり、第２時間ドメインリソースは、サブフレーム、スロット、又はシンボルである。具体的に、第１時間ドメインリソースで、端末は、第１無線周波数リンクを介して第１周波数ドメインリソースで第１ネットワーク装置と通信し、第２無線周波数リンクを介して第２周波数ドメインリソースで第２ネットワーク装置と通信する。第２時間ドメインリソースで、端末は、第１無線周波数リンク及び第２無線周波数リンクを介して第１周波数ドメインリソースで第１ネットワーク装置と通信する。
【０２３０】
留意すべきことに、本願の実施形態で提供された通信方法１、通信方法２、通信方法３、及び通信方法４は、本願で保護される必要のあるソリューションを独立して構成でき、又は本願で保護される必要のあるソリューションを構成するためにランダムに組み合わされてよい。
【０２３１】
前述の方法の実施形態と同じ発明概念に基づき、図９に示すように、本願の実施形態は、通信機器９００を更に提供する。通信機器９００は、実施形態１〜実施形態４における前述の方法のうちの任意の１つにおける端末により実行される動作を実行するよう構成される。通信機器９００は、受信ユニット９０１、処理ユニット９０２、及び送信ユニット９０３を含む。受信ユニット９０１は、ネットワーク装置から情報、信号、又はデータを受信するよう構成される。例えば、通信方法２を参照して、受信ユニット９０１は、ネットワーク装置の構成情報を受信するよう構成されてよい。送信ユニット９０３は、ネットワーク装置へ情報、信号、又はデータを送信するよう構成される。例えば、通信方法１を参照して、送信ユニット９０３は、端末のアップリンク通信能力を第１ネットワーク装置又は第２ネットワーク装置に報告するよう構成されてよい。処理ユニット９０２は、信号受信及び送信動作以外の、前述の方法の実施形態で説明された端末により実行される動作を実行するよう構成される。詳細は、繰り返し記載されない。
【０２３２】
前述の方法の実施形態と同じ発明概念に基づき、図１０に示すように、本願の実施形態は、通信機器１０００を更に提供する。通信機器１０００は、実施形態１〜実施形態４における前述の方法のうちの１つ以上における第１ネットワーク装置（又は第２ネットワーク装置）により実行される動作を実行するよう構成される。通信機器１０００は、受信ユニット１００１、処理ユニット１００２、及び送信ユニット１００３を含む。受信ユニット１００１は、端末から情報、又は信号、又はデータを受信するよう構成される。例えば、通信方法１を参照して、受信ユニット１００１は、端末から端末のアップリンク通信能力を受信するよう構成される。送信ユニット９０３は、端末へ情報、又は信号、又はデータを送信するよう構成される。例えば、通信方法２を参照して、送信ユニット９０３は、端末へ構成情報を送信するよう構成される。処理ユニット１００２は、信号受信及び送信動作以外の、実施形態１〜実施形態４における前述の方法のうちの１つ以上で説明した第１ネットワーク装置（又は第２ネットワーク装置）により実行される動作を実行するよう構成される。詳細は、繰り返し記載されない。
【０２３３】
前述の通信方法と同じ発明概念に基づき、図１１に示すように、本願の実施形態は、通信機器１１００を更に提供する。通信機器１１００は、トランシーバ１１０１、プロセッサ１１０２、及びメモリ１１０３を含む。メモリ１１０３は任意である。メモリ１１０３は、プロセッサ１１０２により実行されるプログラムを格納するよう構成される。通信機器１１００が、実施形態１〜実施形態４における前述の方法のうちの１つ以上における端末により実行される動作を実施するよう構成されるとき、プロセッサ１１０２は、プログラム群を呼び出すよう構成される。プログラムが実行されると、プロセッサ１１０２は、実施形態１〜実施形態４における前述の方法のうちの１つ以上における端末により実行される動作を実行可能にされる。図９の機能モジュール、言い換えると、受信ユニット９０１及び送信ユニット９０３は、トランシーバ９０３を通じて実装されてよく、処理ユニット９０２はプロセッサ１１０２を通じて実装されてよい。通信機器１１００が、実施形態１〜実施形態４における前述の方法のうちの１つ以上における第１ネットワーク装置（又は第２ネットワーク装置）により実行される動作を実施するよう構成されるとき、プロセッサ１１０２は、プログラム群を呼び出すよう構成される。プログラムが実行されると、プロセッサ１１０２は、実施形態１〜実施形態４における前述の方法のうちの１つ以上における第１ネットワーク装置（又は第２ネットワーク装置）により実行される動作を実行可能にされる。図１０の機能モジュール、言い換えると、受信ユニット１００１及び送信ユニット１００３は、トランシーバ１１０１を通じて実装されてよく、処理ユニット１００２はプロセッサ１１０２を通じて実装されてよい。
【０２３４】
プロセッサ１１０２は、中央処理ユニット（central  processing  unit,  CPU）、ネットワークプロセッサ（network  processor,  NP）、又はＣＰＵとＮＰとの組み合わせであってよい。
【０２３５】
プロセッサ１１０２は、ハードウェアチップを更に含んでよい。ハードウェアチップは、特定用途向け集積回路（application−specific  integrated  circuit,  ASIC）、プログラマブル論理素子（programmable  logic  device,  PLD）、又はそれらの組み合わせであってよい。ＰＬＤは、複合プログラマブル論理素子（complex  programmable  logic  device,  CPLD）、フィールドプログラマブルゲートアレイ（field−programmable  gate  array,  FPGA）、汎用アレイロジック（generic  array  logic,  GAL）、又はそれらの組み合わせであってよい。
【０２３６】
メモリ１１０３は、揮発性メモリ（volatile  memory）、例えば、ランダムアクセスメモリ（random−access  memory,  RAM）を含んでよい。メモリ１１０３は、代替として、不揮発性メモリ（non−volatile  memory）、例えば、フラッシュメモリ（flash  memory）、ハードディスクドライブ（hard  disk  drive,  HDD）、又は固体ドライブ（solid−state  drive,  SSD）を含んでよい。メモリ１１０３は、代替として、前述の種類のメモリの組み合わせを含んでよい。
【０２３７】
本願の実施形態で提供された通信方法では端末、第１ネットワーク装置、及び第２ネットワーク装置により実行される記載の動作及び機能のうちの一部又は全部は、チップ又は集積回路を用いて達成されてよい。
【０２３８】
図９、図１０、又は図１１の機器の機能を実施するために、本願の実施形態は、前述の実施形態で提供された通信方法における端末及びネットワーク装置の機能を実施する際に機器をサポートするよう構成されるプロセッサを含むチップを更に提供する。可能な設計では、チップはメモリに接続され又はチップはメモリを含み、メモリは、機器に必要なプログラム命令及びデータを格納するよう構成される。
【０２３９】
本願の一実施形態は、コンピュータ記憶媒体を提供する。コンピュータ記憶媒体は、コンピュータプログラムを格納し、コンピュータプログラムは、前述の実施形態で提供された通信方法を実行するために使用される命令を含む。
【０２４０】
本願の一実施形態は、命令を含むコンピュータプログラムプロダクトを提供する。コンピュータプログラムプロダクトがコンピュータで実行されると、コンピュータは、前述の実施形態における通信方法を実行可能にされる。
【０２４１】
当業者は、本願の実施形態が方法、システム、又はコンピュータプログラムプロダクトとして提供され得ることを理解すべきである。従って、本願は、完全にハードウェアの実施形態、完全にソフトウェアの実施形態、又はソフトウェア及びハードウェアの実施形態の組み合わせの形式であってよい。更に、本願は、コンピュータ使用可能プログラムコードを含む、１つ以上のコンピュータ使用可能記憶媒体（限定ではないが、磁気ディスク記憶、ＣＤ−ＲＯＭ、光学メモリ、等を含む）に実装されるコンピュータプログラムプロダクトの形式を使用してよい。
【０２４２】
本願は、本願の実施形態に従う方法、装置（システム）、及びコンピュータプログラムプロダクトのフローチャート及び／又はブロック図を参照して説明された。理解されるべきことに、コンピュータプログラム命令は、フローチャート及び／又はブロック図の中の各処理及び／又は各ブロック、及び／又はフローチャート及び／又はブロック図の中の処理及び／又はブロックの組み合わせを実装するために使用されてよい。これらのコンピュータプログラム命令は、汎用コンピュータ、専用コンピュータ、埋め込み型プロセッサ、又は別のプログラム可能なデータ処理装置のプロセッサのために機械路生成するために提供されてよい。その結果、コンピュータ又は別のプログラム可能なデータ処理装置のプロセッサにより実行された命令は、フローチャートの中の１つ以上の処理及び／又はブロック図の中の１つ以上のブロックの中の特定の機能を実装する機器を生成する。
【０２４３】
これらのコンピュータプログラム命令は、コンピュータ可読メモリに格納されてよく、コンピュータ又は別のプログラム可能なデータ処理装置に特定の方法で動作するよう指示できる。その結果、コンピュータ可読メモリに格納された命令は、命令機器を含む物を生成する。命令機器は、フローチャートの中の１つ以上の処理及び／又はブロック図の中の１つ以上のブロックの中の特定の機能を実装する。
【０２４４】
これらのコンピュータプログラム命令は、コンピュータ又は別のプログラム可能なデータ処理装置にロードされてよい。その結果、一連の動作ステップが、コンピュータ又は別のプログラム可能な装置で実行され、それによりコンピュータ実装処理を生成する。従って、コンピュータ又は別のプログラム可能な装置で実行される命令は、フローチャートの中の１つ以上の処理及び／又はブロック図の中の１つ以上のブロックの中の特定の機能を実装するステップを提供する。
【０２４５】
本願の幾つかの好適な実施形態が記載されたが、当業者は、基本的発明概念を学習すると、これらの実施形態に変更及び修正を行うことができる。従って、以下の請求項は、好適な実施形態及び本願の範囲内に包含される全部の変更及び修正をカバーするものと考えられることを意図する。
【０２４６】
明らかに、当業者は、本願の実施形態の精神及び範囲から逸脱することなく、種々の変更及び変形を本願の実施形態に対して行うことができる。本願は、これらの変更及び変形が以下の特許請求の範囲により定められる保護範囲及びそれらの均等な技術の範囲内に含まれるならば、それらをカバーすることを意図する。
【図１】
2021529474.tif 000003
【図２】
2021529474.tif 000004
【図３Ａ】
2021529474.tif 000005
【図３Ｂ】
2021529474.tif 000006
【図３Ｃ】
2021529474.tif 000007
【図３Ｄ】
2021529474.tif 000008
【図４】
2021529474.tif 000009
【図５】
2021529474.tif 000010
【図６】
2021529474.tif 000011
【図７】
2021529474.tif 000012
【図８】
2021529474.tif 000013
【図９】
2021529474.tif 000014
【図１０】
2021529474.tif 000015
【図１１】
2021529474.tif 000016
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
通信方法であって、
端末により、前記端末のアップリンク通信能力を第１ネットワーク装置又は第２ネットワーク装置へ報告するステップ、を含み、
前記端末の前記アップリンク通信能力は、第１情報及び第２情報を含み又は示し、
前記第１情報は、第１適用シナリオにおいて前記端末が前記第１ネットワーク装置へ信号を送信するときに使用されるアンテナ能力に対応し、
前記第２情報は、第２適用シナリオにおいて前記端末が前記第１ネットワーク装置へ信号を送信するときに使用されるアンテナ能力に対応し、
前記第１適用シナリオは、前記端末が、第１アンテナポートを介して前記第１ネットワーク装置へ信号を送信し、第２アンテナポートを介して前記第２ネットワーク装置へ信号を送信することであり、
前記第２適用シナリオは、前記端末が、前記第１アンテナポート及び前記第２アンテナポートを介して前記第１ネットワーク装置へ信号を送信することである、方法。
【請求項２】
前記端末が、前記第１アンテナポート及び前記第２アンテナポートを介して前記第１ネットワーク装置へ信号を送信することは、
前記第２アンテナポートがアイドルであるとき、前記端末が、前記第２アンテナポート及び前記第１アンテナポートの両方を介して、前記第１ネットワーク装置へ信号を日和見的に送信することを含む、請求項１に記載の方法。
【請求項３】
前記端末により、前記端末のアップリンク通信能力を前記第１ネットワーク装置へ報告するステップの前に、前記方法は、
前記端末により、デュアルコネクティビティ（ＤＣ）を通じて前記第１ネットワーク装置及び前記第２ネットワーク装置の両方への接続を確立するステップ、又は、
前記端末により、キャリアアグリゲーション（ＣＡ）を通じて、前記第１ネットワーク装置及び前記第２ネットワーク装置にアクセスするステップ、
を更に含む請求項１又は２に記載の方法。
【請求項４】
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、請求項１に記載の方法。
【請求項５】
前記アンテナ能力は、最大アンテナポート数を示し、前記第１情報は１であり、前記第２情報は２である、請求項１に記載の方法。
【請求項６】
通信方法であって、
第１ネットワーク装置又は第２ネットワーク装置により、端末から前記端末のアップリンク通信能力を受信するステップ、を含み、
前記端末の前記アップリンク通信能力は、第１情報及び第２情報を含み又は示し、
前記第１情報は、第１適用シナリオにおいて前記端末が前記第１ネットワーク装置へ信号を送信するときに使用されるアンテナ能力に対応し、
前記第２情報は、第２適用シナリオにおいて前記端末が前記第１ネットワーク装置へ信号を送信するときに使用されるアンテナ能力に対応し、
前記第１適用シナリオは、前記端末が、第１アンテナポートを介して前記第１ネットワーク装置へ信号を送信し、第２アンテナポートを介して前記第２ネットワーク装置へ信号を送信することであり、
前記第２適用シナリオは、前記端末が、前記第１アンテナポート及び前記第２アンテナポートを介して前記第１ネットワーク装置へ信号を送信することである、方法。
【請求項７】
前記端末が、前記第１アンテナポート及び前記第２アンテナポートを介して前記第１ネットワーク装置へ信号を送信することは、
前記第２アンテナポートがアイドルであるとき、前記端末が、前記第２アンテナポート及び前記第１アンテナポートの両方を介して、前記第１ネットワーク装置へ信号を日和見的に送信することを含む、請求項６に記載の方法。
【請求項８】
前記第１ネットワーク装置又は前記第２ネットワーク装置により、前記端末から前記端末のアップリンク通信能力を受信するステップの前に、前記方法は、
前記第１ネットワーク装置及び前記第２ネットワーク装置の両方により、ＤＣを通じて前記端末との接続を確立するステップ、又は、
前記第１ネットワーク装置及び前記第２ネットワーク装置の両方により、ＣＡを通じて前記端末との接続を確立するステップ、
を更に含む請求項６に記載の方法。
【請求項９】
前記アンテナ能力は、アンテナポート数、レイヤ数、無線周波数リンク数、アンテナ数、最大アンテナポート数、最大レイヤ数、最大無線周波数リンク数、又は最大アンテナ数を含み又は示す、請求項６に記載の方法。
【請求項１０】
前記アンテナ能力は、最大アンテナポート数を示し、前記第１情報は１であり、前記第２情報は２である、請求項６に記載の方法。
【請求項１１】
通信機器であって、トランシーバとプロセッサとを含み、前記プロセッサは、メモリに結合され、前記メモリ内のプログラムを呼び出し、前記プログラムを実行して、請求項１〜５のいずれか一項に記載の方法を実施するよう構成される、通信機器。
【請求項１２】
通信機器であって、トランシーバとプロセッサとを含み、前記プロセッサは、メモリに結合され、前記メモリ内のプログラムを呼び出し、前記プログラムを実行して、請求項６〜１０のいずれか一項に記載の方法を実施するよう構成される、通信機器。
【請求項１３】
コンピュータプログラムプロダクトであって、前記コンピュータプログラムプロダクトをコンピュータが読み出し実行すると、前記コンピュータは、請求項６〜１０のいずれか一項に記載の方法を実行可能にされる、コンピュータプログラムプロダクト。
【請求項１４】
チップシステムであって、プロセッサを含み、請求項１〜５のいずれか一項に記載の方法を実施するよう構成されるチップシステム。
【請求項１５】
プロセッサであって、前記プロセッサは、請求項１〜５のいずれか一項に記載の方法を実行するよう構成されるプロセッサ。
【国際調査報告】
2021529474.tif 000017
2021529474.tif 000018
2021529474.tif 000019
2021529474.tif 000020